(57)【要約】【課題】レーザーの安全レベルをクラス分類して表示できるようにする。【解決手段】  平均放射パワー算出部７２は、特徴量特定部７１により特定されたレーザパワー、パルスの繰り返し周波数および放出持続時間を基に、平均放射パワーを算出し、算出した平均放射パワーを安全レベル判定部７４に供給する。AEL決定部７３は、特徴量特定部７１により特定された波長、パルスの幅、および放出持続時間、並びに画像処理部５４により検出された視角を基に、AELを決定し、決定したAELを安全レベル判定部７４に供給する。安全レベル判定部７４は、平均放射パワー算出部７２から供給された平均放射パワーおよびAEL決定部７３から供給されたAELを基に、平均放射パワーがAELを超えるか、または平均放射パワーがAEL以下となるかを判定することで、レーザーの安全レベルをクラスに分類して表示できるようにする。本発明は、測定装置に適用できる。【選択図】図３
2006073559.tif 000002
【特許請求の範囲】
【請求項１】
レーザー光を測定する測定装置において、
前記レーザー光を波長ごとに分光する分光手段と、
分光された前記レーザー光の光量を波長ごとに検出する第１の検出手段と、
前記第1の検出手段により検出された前記光量に基づいて、前記レーザー光の強さに関係する特徴量を特定する特定手段と、
前記レーザー光の光源の画像を撮像する撮像手段と、
前記撮像手段により撮像された前記画像から、前記撮像手段に入射するレーザー光の空間的振幅の両端と前記撮像手段とを結ぶ２本の直線のなす角度である視角を検出する第２の検出手段と、
前記特定手段により特定された前記特徴量に基づいて、前記レーザー光のエネルギーである平均放射パワーを算出する算出手段と、
前記特定手段により特定された前記特徴量に基づいて、前記レーザー光の安全レベルを判定するために予め定められた閾値から、判定に用いる前記閾値を決定する決定手段と、
前記算出手段により算出された前記平均放射パワーおよび前記決定手段により決定された前記閾値に基づいて、前記レーザー光の安全レベルを判定する判定手段と
を含むことを特徴とする測定装置。
【請求項２】
前記判定手段の判定結果に基づいて、前記安全レベルを表示する表示手段と
を含むことを特徴とする請求項１に記載の測定装置。
【請求項３】
前記レーザー光の安全レベルを判定するために予め定められた閾値が格納されたテーブルを記憶する記憶手段と
を含むことを特徴とする請求項１に記載の測定装置。
【請求項４】
前記特徴量は、前記レーザー光のレーザーパワー、波長、パルス幅、パルスの繰り返し周波数、および放射されていた時間である
ことを特徴とする請求項１に記載の測定装置。
【請求項５】
前記算出手段は、前記特定手段により特定された前記特徴量のうち、前記レーザー光の前記レーザーパワー、前記パルスの繰り返し周波数、および前記放射されていた時間に基づいて、前記レーザー光のエネルギーである平均放射パワーを算出する
ことを特徴とする請求項１に記載の測定装置。
【請求項６】
前記決定手段は、前記特定手段により特定された前記特徴量のうち、前記レーザー光の前記波長、前記パルスの幅、および前記放射されていた時間、並びに前記第２の検出手段により検出された前記視角に基づいて、前記レーザー光の安全レベルを判定するために予め定められた閾値から、判定に用いる前記閾値を決定する
ことを特徴とする請求項１に記載の測定装置。
【請求項７】
前記特徴量のうち、前記レーザー光の前記波長、前記パルスの幅、前記パルスの繰り返し周波数、または前記放射されていた時間を入力する入力手段と、
前記算出手段は、前記特定手段により特定された前記レーザー光の前記レーザーパワー、並びに前記入力手段により入力された前記パルスの繰り返し周波数および前記放射されていた時間に基づいて、前記レーザー光のエネルギーである平均放射パワーを算出し、
前記決定手段は、前記入力手段により入力された前記特徴量のうち、前記レーザー光の前記波長、前記パルスの幅、および前記放射されていた時間、並びに前記第２の検出手段により検出された前記視角に基づいて、前記レーザー光の安全レベルを判定するために予め定められた閾値から、判定に用いる前記閾値を決定する
ことを特徴とする請求項１に記載の測定装置。
【請求項８】
前記判定手段は、前記算出手段により算出された前記平均放射パワーおよび前記決定手段により決定された前記閾値に基づいて、前記平均放射パワーが前記閾値を超えるか、または前記平均放射パワーが前記閾値以下となるか否かを判定する
ことを特徴とする請求項１に記載の測定装置。
【請求項９】
期間ごとのレーザー光の特徴量であるレーザーパワーを順次記憶する記憶手段と、
前記記憶手段により記憶されている前記期間ごとの前記レーザーパワーに基づいて、前記レーザーパワーが所定の値を超えた場合に、危険を通知する情報を表示する表示手段と
を含むことを特徴とする測定装置。
【請求項１０】
前記記憶手段より記憶されている前記レーザーパワーに基づいて、前記レーザーパワーが所定の値を超えた場合に、放音する放音手段と
を含むことを特徴とする請求項９に記載の測定装置。
【請求項１１】
レーザー光を波長ごとに分光する分光手段と、
分光された前記レーザー光の光量を波長ごとに検出する第１の検出手段と、
前記第1の検出手段により検出された前記光量に基づいて、前記レーザー光の強さに関係する特徴量を特定する特定手段と、
前記レーザー光の光源の画像を撮像する撮像手段と、
前記撮像手段により撮像された前記画像から、前記撮像手段に入射するレーザー光の空間的振幅の両端と前記撮像手段とを結ぶ２本の直線のなす角度である視角を検出する第２の検出手段と
が設けられているレーザー光を測定する測定装置の測定方法において、
前記特定手段により特定された前記特徴量に基づいて、前記レーザー光のエネルギーである平均放射パワーを算出する算出ステップと、
前記特定手段により特定された前記特徴量に基づいて、前記レーザー光の安全レベルを判定するために予め定められた閾値から、判定に用いる前記閾値を決定する決定ステップと、
前記算出ステップにより算出された前記平均放射パワーおよび前記決定ステップにより決定された前記閾値に基づいて、前記レーザー光の安全レベルを判定する判定ステップと
を含むことを特徴とする測定方法。
【請求項１２】
レーザー光を波長ごとに分光する分光手段と、
分光された前記レーザー光の光量を波長ごとに検出する第１の検出手段と、
前記第1の検出手段により検出された前記光量に基づいて、前記レーザー光の強さに関係する特徴量を特定する特定手段と、
前記レーザー光の光源の画像を撮像する撮像手段と、
前記撮像手段により撮像された前記画像から、前記撮像手段に入射するレーザー光の空間的振幅の両端と前記撮像手段とを結ぶ２本の直線のなす角度である視角を検出する第２の検出手段と
が設けられているレーザー光を測定する測定装置の測定処理用のプログラムであって、
前記特定手段により特定された前記特徴量に基づいて、前記レーザー光のエネルギーである平均放射パワーを算出する算出ステップと、
前記特定手段により特定された前記特徴量に基づいて、前記レーザー光の安全レベルを判定するために予め定められた閾値から、判定に用いる前記閾値を決定する決定ステップと、
前記算出ステップにより算出された前記平均放射パワーおよび前記決定ステップにより決定された前記閾値に基づいて、前記レーザー光の安全レベルを判定する判定ステップと
を含むことを特徴とするコンピュータが読み取り可能なプログラムが記録されている記録媒体。
【請求項１３】
レーザー光を波長ごとに分光する分光手段と、
分光された前記レーザー光の光量を波長ごとに検出する第１の検出手段と、
前記第1の検出手段により検出された前記光量に基づいて、前記レーザー光の強さに関係する特徴量を特定する特定手段と、
前記レーザー光の光源の画像を撮像する撮像手段と、
前記撮像手段により撮像された前記画像から、前記撮像手段に入射するレーザー光の空間的振幅の両端と前記撮像手段とを結ぶ２本の直線のなす角度である視角を検出する第２の検出手段と
が設けられているレーザー光を測定する測定装置のコンピュータに、測定処理を行わせるプログラムにおいて、
前記特定手段により特定された前記特徴量に基づいて、前記レーザー光のエネルギーである平均放射パワーを算出する算出ステップと、
前記特定手段により特定された前記特徴量に基づいて、前記レーザー光の安全レベルを判定するために予め定められた閾値から、判定に用いる前記閾値を決定する決定ステップと、
前記算出ステップにより算出された前記平均放射パワーおよび前記決定ステップにより決定された前記閾値に基づいて、前記レーザー光の安全レベルを判定する判定ステップと
を含むことを特徴とするプログラム。
【発明の詳細な説明】
【技術分野】
【０００１】
本発明は測定装置および方法、記録媒体、並びにプログラムに関し、特に、レーザー装置が放射するレーザー光を測定する測定装置および方法、記録媒体、並びにプログラムに関する。
【背景技術】
【０００２】
昨今、市販されているレーザー装置を使用する現場では、予めクラスに分類された危険性の度合いに基づいて、レーザー装置が放出するレーザー光の安全のレベルが定められているので、その安全のレベルに応じた安全策を講じた上で、レーザー装置が使用されている。
【０００３】
それに対して、レーザー装置を研究、開発、または製造する現場では、主光路のレーザー光のパワー、波長、またはパルス幅などは、光源の能力からおおよその値を知ることはできるが、レンズまたはプリズムの表面で反射された迷光のパワーの値や、迷光がどのくらい危険であるかが測定されていないのにも関わらず、レーザー装置が使用されていることがある。
【０００４】
また、レーザー光路に反射板を設けて、反射したレーザーの強度を常時監視するようにした検知装置もある（例えば、特許文献１参照）。さらに、レーザー光をセンサで受光し、受光したレーザー光に基づいて演算し、演算した結果を表示部に表示させるようにしたレーザーパワーメータもある（例えば、特許文献２参照）。また、マイコンにより、レーザーの出力をデジタル表示できるようにした光量測定装置もある（例えば、特許文献３参照）。
【０００５】
【特許文献１】特開２００２−３４４０７５号公報
【特許文献２】実開昭６３−１６８８２８号公報
【特許文献３】実開昭５５−１５４４４４号公報
【発明の開示】
【発明が解決しようとする課題】
【０００６】
しかしながら、例えば、特開２００２−３４４０７５号公報、実開昭６３−１６８８２８号公報、または実開昭５５−１５４４４４号公報に開示されている装置は、レーザー装置が放出するレーザーパワーを測定しているが、レーザー光の安全のレベルがクラス分類されていないため、レーザー装置が放出するレーザー光の安全のレベルを瞬時に判断することができなかった。
【０００７】
例えば、レーザー装置が放出するレーザー光の安全のレベルが分からないことにより、プリズムの表面で想定外に反射して起こる迷光が危険であるとの認識が薄れてしまい、レーザー光の強度を確認するために、レーザー光を目で直接覗き込むという行為が行われるおそれがあった。
【０００８】
本発明は、このような状況に鑑みてなされたものであり、レーザーパワーおよび各種パラメータ（特徴量）を基に、所定の演算をすることにより、レーザー装置が放出するレーザー光の安全のレベルを簡単に知ることができるようにすることを目的とする。
【課題を解決するための手段】
【０００９】
本発明の測定装置は、レーザー光を波長ごとに分光する分光手段と、分光されたレーザー光の光量を波長ごとに検出する第１の検出手段と、第1の検出手段により検出された光量に基づいて、レーザー光の強さに関係する特徴量を特定する特定手段と、レーザー光の光源の画像を撮像する撮像手段と、撮像手段により撮像された画像から、撮像手段に入射するレーザー光の空間的振幅の両端と撮像手段とを結ぶ２本の直線のなす角度である視角を検出する第２の検出手段と、特定手段により特定された特徴量に基づいて、レーザー光のエネルギーである平均放射パワーを算出する算出手段と、特定手段により特定された特徴量に基づいて、レーザー光の安全レベルを判定するために予め定められた閾値から、判定に用いる閾値を決定する決定手段と、算出手段により算出された平均放射パワーおよび決定手段により決定された閾値に基づいて、レーザー光の安全レベルを判定する判定手段とを含むことを特徴とする。
【００１０】
本発明の測定装置は、判定手段の判定結果に基づいて、安全レベルを表示する表示手段とを含むことを特徴とする。
【００１１】
本発明の測定装置は、レーザー光の安全レベルを判定するために予め定められた閾値が格納されたテーブルを記憶する記憶手段とを含むことを特徴とする。
【００１２】
特徴量は、レーザー光のレーザーパワー、波長、パルス幅、パルスの繰り返し周波数、および放射されていた時間であることを特徴とする。
【００１３】
算出手段は、特定手段により特定された特徴量のうち、レーザー光のレーザーパワー、パルスの繰り返し周波数、および放射されていた時間に基づいて、レーザー光のエネルギーである平均放射パワーを算出することを特徴とする。
【００１４】
決定手段は、特定手段により特定された特徴量のうち、レーザー光の波長、パルスの幅、および放射されていた時間、並びに第２の検出手段により検出された視角に基づいて、レーザー光の安全レベルを判定するために予め定められた閾値から、判定に用いる閾値を決定することを特徴とする。
【００１５】
本発明の測定装置は、特徴量のうち、レーザー光の波長、パルスの幅、パルスの繰り返し周波数、または放射されていた時間を入力する入力手段と、算出手段は、特定手段により特定されたレーザー光のレーザーパワー、並びに入力手段により入力されたパルスの繰り返し周波数および放射されていた時間に基づいて、レーザー光のエネルギーである平均放射パワーを算出し、決定手段は、入力手段により入力された特徴量のうち、レーザー光の波長、パルスの幅、および放射されていた時間、並びに第２の検出手段により検出された視角に基づいて、レーザー光の安全レベルを判定するために予め定められた閾値から、判定に用いる閾値を決定することを特徴とする。
【００１６】
判定手段は、算出手段により算出された平均放射パワーおよび決定手段により決定された閾値に基づいて、平均放射パワーが閾値を超えるか、または平均放射パワーが閾値以下となるか否かを判定することを特徴とする。
【００１７】
本発明の測定装置は、期間ごとのレーザー光の特徴量であるレーザーパワーを順次記憶する記憶手段と、記憶手段により記憶されている期間ごとのレーザーパワーに基づいて、レーザーパワーが所定の値を超えた場合に、危険を通知する情報を表示する表示手段とを含むことを特徴とする。
【００１８】
本発明の測定装置は、記憶手段より記憶されているレーザーパワーに基づいて、レーザーパワーが所定の値を超えた場合に、放音する放音手段とを含むことを特徴とする。
【００１９】
本発明の測定方法は、特徴量に基づいて、レーザー光のエネルギーである平均放射パワーを算出する算出ステップと、特徴量に基づいて、レーザー光の安全レベルを判定するために予め定められた閾値から、判定に用いる閾値を決定する決定ステップと、算出ステップにより算出された平均放射パワーおよび決定ステップにより決定された閾値に基づいて、レーザー光の安全レベルを判定する判定ステップとを含むことを特徴とする。
【００２０】
本発明の記録媒体のプログラムは、特徴量に基づいて、レーザー光のエネルギーである平均放射パワーを算出する算出ステップと、特徴量に基づいて、レーザー光の安全レベルを判定するために予め定められた閾値から、判定に用いる閾値を決定する決定ステップと、算出ステップにより算出された平均放射パワーおよび決定ステップにより決定された閾値に基づいて、レーザー光の安全レベルを判定する判定ステップとを含むことを特徴とする。
【００２１】
本発明のプログラムは、特徴量に基づいて、レーザー光のエネルギーである平均放射パワーを算出する算出ステップと、特徴量に基づいて、レーザー光の安全レベルを判定するために予め定められた閾値から、判定に用いる閾値を決定する決定ステップと、算出ステップにより算出された平均放射パワーおよび決定ステップにより決定された閾値に基づいて、レーザー光の安全レベルを判定する判定ステップとを含むことを特徴とする。
【００２２】
本発明の測定装置および測定方法、記録媒体、並びにプログラムにおいては、レーザー光を波長ごとに分光し、分光されたレーザー光の光量を波長ごとに検出し、検出された光量に基づいて、レーザー光の強さに関係する特徴量を特定し、レーザー光の光源の画像を撮像し、撮像された画像から、撮像手段に入射するレーザー光の空間的振幅の両端と撮像手段とを結ぶ２本の直線のなす角度である視角を検出し、特定された特徴量に基づいて、レーザー光のエネルギーである平均放射パワーを算出し、特定された特徴量に基づいて、レーザー光の安全レベルを判定するために予め定められた閾値から、判定に用いる閾値を決定し、算出された平均放射パワーおよび決定された閾値に基づいて、レーザー光の安全レベルを判定する。
【発明の効果】
【００２３】
本発明によれば、レーザー装置が放出するレーザー光の安全レベルを測定することができる。また、本発明によれば、レーザー装置が放出するレーザー光の安全のレベルを表示することができる。
【発明を実施するための最良の形態】
【００２４】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００２５】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２６】
本発明によれば、測定装置が提供される。この測定装置（例えば、図３のレーザーテスタ１）は、レーザー光を波長ごとに分光する分光手段と（例えば、図３の分光器）、分光されたレーザー光の光量を波長ごとに検出する第１の検出手段（例えば、図３のフォトディテクタ５１）と、第1の検出手段により検出された光量に基づいて、レーザー光の強さに関係する特徴量を特定する特定手段（例えば、図３の特徴量特定部７１）と、レーザー光の光源の画像を撮像する撮像手段（例えば、図３のCCD５３）と、撮像手段により撮像された画像から、撮像手段に入射するレーザー光の空間的振幅の両端と撮像手段とを結ぶ２本の直線のなす角度である視角を検出する第２の検出手段（例えば、図３の画像処理部５４）と、特定手段により特定された特徴量に基づいて、レーザー光のエネルギーである平均放射パワーを算出する算出手段（例えば、図３の平均放射パワー算出部７２）と、特定手段により特定された特徴量に基づいて、レーザー光の安全レベルを判定するために予め定められた閾値から、判定に用いる閾値を決定する決定手段（例えば、図３のAEL決定部７３）と、算出手段により算出された平均放射パワーおよび決定手段により決定された閾値に基づいて、レーザー光の安全レベルを判定する判定手段（例えば、図３の安全レベル判定部７４）とを含む。
【００２７】
判定手段の判定結果に基づいて、安全レベルを表示する表示手段（例えば、図３の表示部１４）とを含む。
【００２８】
レーザー光の安全レベルを判定するために予め定められた閾値が格納されたテーブルを記憶する記憶手段（例えば、図３の記憶部５６）とを含む。
【００２９】
特徴量は、レーザー光のレーザーパワー、波長、パルス幅、パルスの繰り返し周波数、および放射されていた時間である。
【００３０】
算出手段は、特定手段により特定された特徴量のうち、レーザー光のレーザーパワー、パルスの繰り返し周波数、および放射されていた時間に基づいて、レーザー光のエネルギーである平均放射パワーを算出することができる。
【００３１】
決定手段は、特定手段により特定された特徴量のうち、レーザー光の波長、パルスの幅、および放射されていた時間、並びに第２の検出手段により検出された視角に基づいて、レーザー光の安全レベルを判定するために予め定められた閾値から、判定に用いる閾値を決定することができる。
【００３２】
特徴量のうち、レーザー光の波長、パルスの幅、パルスの繰り返し周波数、または放射されていた時間を入力する入力手段（例えば、図３の操作部１３）と、算出手段は、特定手段により特定されたレーザー光のレーザーパワー、並びに入力手段により入力されたパルスの繰り返し周波数および放射されていた時間に基づいて、レーザー光のエネルギーである平均放射パワーを算出し、決定手段は、入力手段により入力された特徴量のうち、レーザー光の波長、パルスの幅、および放射されていた時間、並びに第２の検出手段により検出された視角に基づいて、レーザー光の安全レベルを判定するために予め定められた閾値から、判定に用いる閾値を決定することができる。
【００３３】
判定手段は、算出手段により算出された平均放射パワーおよび決定手段により決定された閾値に基づいて、平均放射パワーが閾値を超えるか、または平均放射パワーが閾値以下となるか否かを判定することができる。
【００３４】
本発明によれば、測定装置が提供される。この測定装置（例えば、図３のレーザーテスタ１）は、期間ごとのレーザー光の特徴量であるレーザーパワーを順次記憶する記憶手段（例えば、図３の記憶部５６）と、記憶手段により記憶されている期間ごとのレーザーパワーに基づいて、レーザーパワーが所定の値を超えた場合に、危険を通知する情報を表示する表示手段（例えば、図３の表示部１４）とを含む。
【００３５】
記憶手段より記憶されているレーザーパワーに基づいて、レーザーパワーが所定の値を超えた場合に、放音する放音手段（例えば、図３のアラーム５７）とを含む。
【００３６】
本発明によれば、測定方法が提供される。この測定方法は、特徴量に基づいて、レーザー光のエネルギーである平均放射パワーを算出する算出ステップ（例えば、図４のステップＳ１５または図１０のステップＳ５６の処理）と、特定された特徴量に基づいて、レーザー光の安全レベルを判定するために予め定められた閾値から、判定に用いる閾値を決定する決定ステップ（例えば、図４のステップＳ１６または図１０のステップＳ５７の処理）と、算出ステップにより算出された平均放射パワーおよび決定ステップにより決定された閾値に基づいて、レーザー光の安全レベルを判定する判定ステップ（例えば、図４のステップＳ１７または図１０のステップＳ５８の処理）とを含む。
【００３７】
本発明によれば、プログラムが提供される。このプログラムは、特徴量に基づいて、レーザー光のエネルギーである平均放射パワーを算出する算出ステップ（例えば、図４のステップＳ１５または図１０のステップＳ５６の処理）と、特定された特徴量に基づいて、レーザー光の安全レベルを判定するために予め定められた閾値から、判定に用いる閾値を決定する決定ステップ（例えば、図４のステップＳ１６または図１０のステップＳ５７の処理）と、算出ステップにより算出された平均放射パワーおよび決定ステップにより決定された閾値に基づいて、レーザー光の安全レベルを判定する判定ステップ（例えば、図４のステップＳ１７または図１０のステップＳ５８の処理）とを実行させる。
【００３８】
このプログラムは、記憶媒体（例えば、図１１の磁気ディスク１２１）に記憶することができる。
【００３９】
以下、図面を参照しながら本発明の実施の形態について説明する。
【００４０】
図１は、針式のメータによるアナログ表示のレーザーテスタ１（以下、アナログレーザーテスタ１と称する）の一例を示す図である。
【００４１】
アナログレーザーテスタ１は、針式のメータによるアナログ形式の表示部１４が設けられ、メータには、レーザー光の安全レベルがクラスで分類されて表示されており、針が指し示す位置により、現在のレーザー光の安全レベルを確認することができる。
【００４２】
分光器１１は、上述したように、レーザー装置（図示せず）から放出されたレーザー光を波長ごとの光（スペクトル）に分光し、波長ごとに分光されたレーザー光をフォトディテクタ５１に供給する。
【００４３】
光学ブロック１２は、上述したように、例えば、光学レンズ、フォーカス機構、シャッタ機構、および絞り（アイリス）機構などから構成され、被写体に反射したレーザー光を集め、すなわち、被写体のレーザー光をCCD（Charge Coupled Device）などの撮像素子の受光部に結像させる。
【００４４】
操作部１３は、設定用のスイッチからなり、例えば、ユーザの操作により入力されたレーザー光の波長、繰り返し周波数、パルス幅、または放出持続時間であるパラメータを後述する演算部５５に供給する。
【００４５】
表示部１４は、針２１および目盛版５２から構成され、レーザー光の安全のレベルが、針式のメータによるアナログ形式で表示される。例えば、表示部１４は、目盛板２２に表示する目盛を４分割して、左側から、１番目のレンジ２２−１をクラス１、２番目のレンジ２２−２をクラス２、３番目のレンジ２２−３をクラス３Ａ（およびクラス３Ｂ）、４番目のレンジ２２−４をクラス４として設ける。
【００４６】
すなわち、レーザー光の安全レベルがクラス１である場合、針２１は、レンジ２２−１を指し示し、レーザー光の安全レベルがクラス２である場合、針２１は、レンジ２２−２を指し示し、レーザー光の安全レベルがクラス３（クラス３Ａおよびクラス３Ｂ）である場合、針２１は、レンジ２２−３を指し示し、レーザー光の安全レベルがクラス４である場合、針２１は、レンジ２２−４を指し示す。
【００４７】
このように、レーザー光の安全レベルがクラスに分類されているので、ユーザは、クラスを確認することにより、レーザー装置が放出するレーザー光の安全のレベルを瞬時に判断することができる。
【００４８】
また、アナログレーザーテスタ１は、針式のメータによるアナログ形式でクラスが表示されるので、ユーザがレーザー光の安全のレベルを瞬時に判断できるとともに、その後の針２１の動きもある程度予測することができる。すなわち、例えば、針２１がレンジ２２−２（クラス２）とレンジ２２−３（クラス３Ａおよびクラス３Ｂ）との境を指し示していた場合、ユーザは、針２１がレンジ２２−３（クラス３Ａおよびクラス３Ｂ）に動くことを予測することができる。
【００４９】
なお、分光器１１と光学ブロック１２と個別にレーザー光を受光すると説明したが、分光器１１および光学ブロック１２の一方が、入射されたレーザー光を全ての周波数帯で分光して他方に供給するようにしてもよい。この場合、受光部を１ヶ所にまとめることができるので、より正確、かつ、より迅速にレーザー光を測定することができる。
【００５０】
図２は、LED（Light Emitting Diode）を使用したデジタル表示のレーザーテスタ１（以下、デジタルレーザーテスタ１と称する）の一例を示す図である。
【００５１】
デジタルレーザーテスタ１は、LEDを使用したデジタル形式の表示部１７が設けられ、点灯している表示部１４の四角の数により、現在のレーザー光の安全レベルを確認することができる。
【００５２】
分光器１１は、上述したように、レーザー装置（図示せず）から放出されたレーザー光を波長ごとの光（スペクトル）に分光し、波長ごとに分光されたレーザー光をフォトディテクタ５１に供給する。
【００５３】
光学ブロック１２は、上述したように、例えば、光学レンズ、フォーカス機構、シャッタ機構、および絞り（アイリス）機構などから構成され、被写体に反射したレーザー光を集め、すなわち、レーザー光をCCDなどの撮像素子の受光部に結像させる。
【００５４】
操作部１３は、設定用のスイッチからなり、例えば、ユーザの操作により入力されたレーザー光の波長、繰り返し周波数、パルス幅、または放出持続時間などのパラメータを演算部５５に供給する。
【００５５】
表示部１４は、LEDを使用することによるデジタル形式で表示され、レーザー光の安全のレベルが、LEDにより表示される。すなわち、LEDが点灯させる四角の数により、現在のレーザー光の安全のレベルを確認することができる。
【００５６】
より具体的には、図２で示される例においては、表示部１４の点灯している四角（図中黒い四角）の数により、安全のレベルを示す。例えば、表示部１４は、レーザー光の安全のレベルがクラス１である場合、四角を１つ点灯させ、レーザー光の安全のレベルがクラス２である場合、四角を２つ点灯させ、レーザー光の安全のレベルがクラス３Ａである場合、四角を３つ点灯させ、レーザー光の安全のレベルがクラス３Ｂである場合、四角を４つ点灯させ、レーザー光の安全のレベルがクラス４である場合、四角を５つ点灯させる。すなわち、点灯している四角の数が少ないほど、レーザー光の安全のレベルが低く、それに対して、点灯している四角の数が多いほど、レーザー光の安全のレベルが高くなる。
【００５７】
なお、クラスに応じて、LEDが点灯させる四角の色を変化させるようにしてもよい。例えば、レーザー光の安全のレベルがクラス１の場合、LEDが四角を「青色」で点灯させ、レーザー光の安全のレベルがクラス２の場合、LEDが四角を「黄色」で点灯させ、レーザー光の安全のレベルがクラス３（クラス３Ａまたはクラス３Ｂ）の場合、LEDが四角を「橙色」で点灯させ、レーザー光の安全のレベルがクラス４の場合、LEDが四角を「赤色」で点灯させるようにして、クラスに応じてLEDが点灯させる四角の色を変化させるようにしてもよい。すなわち、ユーザは、点灯している四角の色により、直感的にレーザー光の安全レベルを識別することができる。
【００５８】
また、表示部１４は、上述したように、LCD（Liquid Crystal Display）を用いることで、数値により表示するようにしてもよい。さらに、レーザー光のパラメータ（例えば、波長、パルスの幅、パルスの繰り返し周波数、または放出持続時間など）を表示するようにしてもよい。
【００５９】
このように、レーザー光の安全レベルがクラスに分類されているので、ユーザは、レーザー装置が放出するレーザー光の安全のレベルを瞬時に判断することができる。
【００６０】
また、デジタルレーザーテスタ１は、LEDまたはLCDを使用してデジタル形式でクラスが表示されるので、クラスを確認することにより、ユーザがレーザー光の安全のレベルを瞬時に判断できるとともに、より高い精度でクラスを表示することができる。
【００６１】
なお、図２においても、図１と同様に、分光器１１と光学ブロック１２と個別にレーザー光を受光すると説明したが、分光器１１および光学ブロック１２の一方が、入射されたレーザー光を全ての周波数帯で分光して他方に供給するようにしてもよい。この場合、受光部を１ヶ所にまとめることができるので、より正確、かつ、より迅速にレーザー光を測定することができる。
【００６２】
図３は、本発明のレーザーテスタ１の一実施の形態の構成を示すブロック図である。
【００６３】
レーザーテスタ１は、レーザー装置（図示せず）が放出するレーザー光を測定する測定装置の一例である。
【００６４】
分光器１１は、例えば、回折格子、プリズム、またはダイクロックミラーなどから構成され、レーザー装置から放出されたレーザー光を波長ごとの光（スペクトル）に分光し、波長ごとに分光されたレーザー光を後述するフォトディテクタ５１−１乃至フォトディテクタ５１−Ｎのいずれかに供給する。例えば、分光器１１は、500（nm）である単一の波長のレーザー光がレーザー装置から放出された場合、フォトディテクタ５１−１乃至フォトディテクタ５１−Ｎのうち、500（nm）である波長のレーザー光を受光するフォトディテクタ５１−４（図示せず）に500（nm）である波長のレーザー光を供給する。
【００６５】
また、例えば、分光器１１は、300（nm）、310（nm）、および350（nm）の３波長のレーザー光を放出するレーザー装置によりレーザー光が入力された場合、レーザー光を300（nm）、310（nm）、および350（nm）のレーザー光に分光し、分光されたレーザー光をそれぞれの波長に対応したフォトディテクタ５１−１乃至フォトディテクタ５１−Ｎのいずれかにそれぞれ供給する。
【００６６】
より具体的には、分光器１１は、300（nm）、310（nm）、および350（nm）の３波長のレーザー光を放出するレーザー装置によりレーザー光が入力されたとき、レーザー光を300（nm）、310（nm）、および350（nm）のレーザー光に分光し、分光されたレーザー光のうち、300（nm）である波長のレーザー光を180乃至302.5（nm）である波長のレーザー光を受光するフォトディテクタ５１−１に供給し、310（nm）である波長のレーザー光を302.5乃至315（nm）である波長のレーザー光を受光するフォトディテクタ５１−２（図示せず）に供給し、350（nm）である波長のレーザー光を315乃至400（nm）である波長のレーザー光を受光するフォトディテクタ５１−３（図示せず）に供給する。
【００６７】
フォトディテクタ５１−１は、例えば、フォトトランジスタまたはフォトダイオードなどの受光素子から構成され、分光器１１から供給されたレーザー光を受光し、受光したレーザー光の強さ（光量）に応じた電流を生成し、生成した電流をA/D変換部５２−１に供給する。言い換えれば、フォトディテクタ５１−１は、分光されたレーザー光をその光量に対応した電流に変換する。
【００６８】
例えば、フォトディテクタ５１−１は、分光器１１から供給されるレーザー光のうち、180（nm）乃至302.5（nm）である波長のレーザー光を受光し、受光したレーザー光の強さ（光量）に応じた電流を生成し、生成した電流をA/D変換部５２−１に供給する。より具体的には、フォトディテクタ５１−１は、分光器１１から300（nm）である波長のレーザー光が供給された場合、300（nm）である波長のレーザー光を受光し、受光したレーザー光の強さ（光量）に応じた電流を生成し、生成した電流をA/D変換部５２−１に供給する。
【００６９】
フォトディテクタ５１−２（図示せず）は、例えば、フォトトランジスタまたはフォトダイオードなどの受光素子から構成され、分光器１１から供給されたレーザー光を受光し、受光したレーザー光の強さ（光量）に応じた電流を生成し、生成した電流をA/D変換部５２−２（図示せず）に供給する。言い換えれば、フォトディテクタ５１−２は、分光されたレーザー光をその光量に対応した電流に変換する。
【００７０】
例えば、フォトディテクタ５１−２は、分光器１１から供給されるレーザー光のうち、302.5（nm）乃至315（nm）である波長のレーザー光を受光し、受光したレーザー光の強さ（光量）に応じた電流を生成し、生成した電流をA/D変換部５２−２に供給する。より具体的には、フォトディテクタ５１−２は、分光器１１から310（nm）である波長のレーザー光が供給された場合、310（nm）である波長のレーザー光を受光し、受光したレーザー光の強さ（光量）に応じた電流を生成し、生成した電流をA/D変換部５２−２に供給する。
【００７１】
フォトディテクタ５１−３（図示せず）は、例えば、フォトトランジスタまたはフォトダイオードなどの受光素子から構成され、分光器１１から供給されたレーザー光を受光し、受光したレーザー光の強さ（光量）に応じた電流を生成し、生成した電流をA/D変換部５２−３（図示せず）に供給する。言い換えれば、フォトディテクタ５１−３は、分光されたレーザー光をその光量に対応した電流に変換する。
【００７２】
例えば、フォトディテクタ５１−３は、分光器１１から供給されるレーザー光のうち、315（nm）乃至400（nm）である波長のレーザー光を受光し、受光したレーザー光の強さ（光量）に応じた電流を生成し、生成した電流をA/D変換部５２−３に供給する。より具体的には、フォトディテクタ５１−３は、分光器１１から350（nm）である波長のレーザー光が供給された場合、350（nm）である波長のレーザー光を受光し、受光したレーザー光の強さ（光量）に応じた電流を生成し、生成した電流をA/D変換部５２−３に供給する。
【００７３】
フォトディテクタ５１−４（図示せず）は、例えば、フォトトランジスタまたはフォトダイオードなどの受光素子から構成され、分光器１１から供給されたレーザー光を受光し、受光したレーザー光の強さ（光量）に応じた電流を生成し、生成した電流をA/D変換部５２−４（図示せず）に供給する。言い換えれば、フォトディテクタ５１−４は、分光されたレーザー光をその光量に対応した電流に変換する。
【００７４】
例えば、フォトディテクタ５１−４は、分光器１１から供給されるレーザー光のうち、400（nm）乃至700（nm）である波長のレーザー光を受光し、受光したレーザー光の強さ（光量）に応じた電流を生成し、生成した電流をA/D変換部５２−４に供給する。より具体的には、フォトディテクタ５１−４は、分光器１１から500（nm）である波長のレーザー光が供給された場合、500（nm）である波長のレーザー光を受光し、受光したレーザー光の強さ（光量）に応じた電流を生成し、生成した電流をA/D変換部５２−４に供給する。
【００７５】
フォトディテクタ５１−５（図示せず）乃至フォトディテクタ５１−Ｎのそれぞれは、例えば、フォトトランジスタまたはフォトダイオードなどの受光素子から構成され、分光器１１からそれぞれに供給されたレーザー光を受光し、受光したレーザー光の強さ（光量）に応じた電流生成し、生成した電流をA/D変換部５２−４（図示せず）乃至A/D変換部５２−Ｎのそれぞれに供給する。
【００７６】
なお、例えば、フォトディテクタ５１−５は、分光器１１から供給される700（nm）乃至1050（nm）である波長のレーザー光を受光し、フォトディテクタ５１−６（図示せず）は、分光器１１から供給される1050（nm）乃至1400（nm）である波長のレーザー光を受光し、フォトディテクタ５１−７（図示せず）は、分光器１１から供給される1400（nm）乃至106（nm）である波長のレーザー光を受光することで、分光器１１から供給されるレーザー光を波長ごとに、フォトディテクタ５１−１乃至フォトディテクタ５１−７のいずれかに供給することができる。
【００７７】
また、上述した例において、分光器１１から供給されるレーザー光のうち、フォトディテクタ５１−１が、180（nm）乃至302.5（nm）である波長のレーザー光を受光し、フォトディテクタ５１−２が、302.5（nm）乃至315（nm）である波長のレーザー光を受光し、フォトディテクタ５１−３が、315（nm）乃至400（nm）である波長のレーザー光を受光し、フォトディテクタ５１−４が、400（nm）乃至700（nm）である波長のレーザー光を受光し、フォトディテクタ５１−５が、700（nm）乃至1050（nm）である波長のレーザー光を受光し、フォトディテクタ５１−６が、1050（nm）乃至1400（nm）である波長のレーザー光を受光し、フォトディテクタ５１−７が、1400（nm）乃至106（nm）である波長のレーザー光を受光するとして説明したが、上述した例に限らず、フォトディテクタ５１−１乃至フォトディテクタ５１−Ｎがどのような範囲の波長を受光するかは、レーザーテスタ１ごとに任意に設定することができる。
【００７８】
A/D変換部５２−１は、フォトディテクタ５１−１から供給されたアナログ信号である電流をデジタルデータに変換する。A/D変換部５２−１は、フォトディテクタ５１−１から供給された電流にアナログデジタル変換の処理を適用して、その電流値に応じたデジタルデータを出力する。A/D変換部５２−１は、アナログデジタル変換の処理により出力されたデジタルデータを演算部５５に供給する。
【００７９】
例えば、フォトディテクタ５１−１から供給された180乃至302.5（nm）のいずれかの波長のレーザー光の強さを示すアナログ信号である電流をデジタルデータに変換する。A/D変換部５２−１は、フォトディテクタ５１−１から供給された180乃至302.5（nm）の波長のレーザー光のアナログ信号である電流にアナログデジタル変換の処理を適用して、その電流値に応じたレーザー光の強さを示すデジタルデータを出力する。A/D変換部５２−１は、アナログデジタル変換の処理により出力された180乃至302.5（nm）の波長のレーザー光のデジタルデータを演算部５５に供給する。
【００８０】
A/D変換部５２−２（図示せず）は、フォトディテクタ５１−２（図示せず）から供給されたアナログ信号である電流をデジタルデータに変換する。A/D変換部５２−２は、フォトディテクタ５１−２から供給された電流にアナログデジタル変換の処理を適用して、その電流値に応じたデジタルデータを出力する。A/D変換部５２−２は、アナログデジタル変換の処理により出力されたデジタルデータを演算部５５に供給する。
【００８１】
例えば、フォトディテクタ５１−２から供給された302.5乃至315（nm）のいずれかの波長のレーザー光の強さを示すアナログ信号である電流をデジタルデータに変換する。A/D変換部５２−２は、フォトディテクタ５１−２から供給された302.5乃至315（nm）の波長のレーザー光のアナログ信号である電流にアナログデジタル変換の処理を適用して、その電流値に応じたレーザー光の強さを示すデジタルデータを出力する。A/D変換部５２−２は、アナログデジタル変換の処理により出力された302.5乃至315（nm）の波長のレーザー光のデジタルデータを演算部５５に供給する。
【００８２】
A/D変換部５２−３（図示せず）は、フォトディテクタ５１−３（図示せず）から供給されたアナログ信号である電流をデジタルデータに変換する。A/D変換部５２−３は、フォトディテクタ５１−３から供給された電流にアナログデジタル変換の処理を適用して、その電流値に応じたデジタルデータを出力する。A/D変換部５２−３は、アナログデジタル変換の処理により出力されたデジタルデータを演算部５５に供給する。
【００８３】
例えば、フォトディテクタ５１−３から供給された315乃至400（nm）のいずれかの波長のレーザー光の強さを示すアナログ信号である電流をデジタルデータに変換する。A/D変換部５２−３は、フォトディテクタ５１−３から供給された315乃至400（nm）の波長のレーザー光のアナログ信号である電流にアナログデジタル変換の処理を適用して、その電流値に応じたレーザー光の強さを示すデジタルデータを出力する。A/D変換部５２−３は、アナログデジタル変換の処理により出力された315乃至400（nm）の波長のレーザー光のデジタルデータを演算部５５に供給する。
【００８４】
A/D変換部５２−４（図示せず）は、フォトディテクタ５１−４（図示せず）から供給されたアナログ信号である電流をデジタルデータに変換する。A/D変換部５２−４は、フォトディテクタ５１−４から供給された電流にアナログデジタル変換の処理を適用して、その電流値に応じたデジタルデータを出力する。A/D変換部５２−４は、アナログデジタル変換の処理により出力されたデジタルデータを演算部５５に供給する。
【００８５】
例えば、フォトディテクタ５１−４から供給された400乃至700（nm）のいずれかの波長のレーザー光の強さを示すアナログ信号である電流をデジタルデータに変換する。A/D変換部５２−４は、フォトディテクタ５１−４から供給された400乃至700（nm）の波長のレーザー光のアナログ信号である電流にアナログデジタル変換の処理を適用して、その電流値に応じたレーザー光の強さを示すデジタルデータを出力する。A/D変換部５２−４は、アナログデジタル変換の処理により出力された400乃至700（nm）の波長のレーザー光のデジタルデータを演算部５５に供給する。
【００８６】
A/D変換部５２−５（図示せず）乃至A/D変換部５２−Ｎは、フォトディテクタ５１−５（図示せず）乃至フォトディテクタ５１−Ｎのそれぞれから供給されたアナログ信号である電流をデジタルデータに変換する。A/D変換部５２−５乃至A/D変換部５２−Ｎは、フォトディテクタ５１−５乃至フォトディテクタ５１−Ｎのそれぞれから供給された電流にアナログデジタル変換の処理を適用して、その電流値に応じたデジタルデータを出力する。A/D変換部５２−５乃至A/D変換部５２−Ｎは、アナログデジタル変換の処理により出力されたデジタルデータをそれぞれ演算部５５に供給する。
【００８７】
光学ブロック１２は、例えば、光学レンズ、フォーカス機構、シャッタ機構、および絞り（アイリス）機構などから構成され、レーザー装置から放射されたレーザー光を集め、すなわち、レーザー光をCCD５３の受光部に結像させる。
【００８８】
CCD５３は、CCDセンサから構成され、光学ブロック１２により結像されたレーザー光を光電変換することにより、レーザー光をアナログの電気信号に変換する。CCD５３は、変換したアナログ信号である画像信号を画像処理部５４に供給する。
【００８９】
例えば、CCD５３は、光学ブロック１２により結像されたユーザがレーザー装置から放出されたレーザー光を見たと仮定したときのレーザー光を光電変換することにより、レーザー光をアナログの電気信号に変換し、変換したアナログ信号であるユーザがレーザー装置から放出されたレーザー光の光源を見たと仮定した場合の画像信号を画像処理部５４に供給する（すなわち、CCD５３は、ユーザがレーザー装置を見たと仮定した場合の画像を撮像する）。
【００９０】
なお、CCD５３は、CCDセンサに限らず、例えば、CMOS（Complementary Metal Oxide Semiconductor）センサなど、画素を単位として画像の信号を生成する撮像素子であればよい。
【００９１】
画像処理部５４は、アナログの画像信号をデジタルの画像データに変換する。そして、画像処理部５４は、例えば、光学ブロック１２の光学レンズ（図示せず）のF値などを基に、デジタルデータである画像データから、ユーザがレーザー光源を見たときの眼からレーザー光源に入る角度である視角を検出し、検出した視角を演算部５５に供給する。
【００９２】
例えば、画像処理部５４は、アナログの画像信号をデジタルの画像データに変換し、光学ブロック１２の光学レンズのF値などを基に、変換したデジタルデータである画像データから、“1（mrad）”である視角を検出し、検出した“1（mrad）”である視角を演算部５５に供給する。
【００９３】
また、視角とは、光学ブロック１２に入射するレーザー光の空間的振幅の両端と光学ブロック１２とを結ぶ２本の直線のなす角度であるともいえる。
【００９４】
操作部１３は、例えば、スイッチにより構成され、レーザーテスタ１の所定の位置に設けられる。また、操作部１３は、ユーザの操作により入力されたパラメータ（特徴量）を演算部５５に供給する。
【００９５】
例えば、操作部１３は、ユーザの操作により入力されたパラメータのうち、パルスの繰り返し周波数、および放出持続時間を後述する演算部５５の平均放射パワー算出部７２に供給し、ユーザの操作により入力されたパラメータのうち、波長、放出持続時間、パルスの幅を後述する演算部５５のAEL決定部７３に供給する。
【００９６】
より具体的には、例えば、操作部１３は、ユーザの操作により、“500（nm）”である波長、“1.5（s）”であるパルス幅、“100（Hz）”であるパルスの繰り返し周波数、および“15（s）”である放出持続時間がパラメータとして入力された場合、ユーザの操作により入力されたパラメータのうち、“100（Hz）”であるパルスの繰り返し周波数、および“15（s）”である放出持続時間を後述する演算部５５の平均放射パワー算出部７２に供給し、ユーザの操作により入力されたパラメータのうち、“500（nm）”である波長、“15（s）”である放出持続時間、“1.5（s）”であるパルスの幅を後述する演算部５５のAEL決定部７３に供給する。
【００９７】
演算部５５は、CPU（Central Processing Unit）などの組み込みプロセッサ（embedded processor）、ROM（Read Only Memory）若しくはRAM（Random Access Memory）、またはDSP（Digital Signal Processor）などから構成される。例えば、組み込みプロセッサである演算部５５は、ROMに記憶されているプログラムに従って各種の処理を実行する。RAMには、CPUが実行する各種のプログラムやデータが適宜記憶される。
【００９８】
演算部５５は、A/D変換部５２−１乃至A/D変換部５２−Ｎから供給された波長帯ごとのレーザー光の強さを示すデジタルデータを基に、波長帯ごとのパラメータ（特徴量）を特定する。演算部５５は、特定したパラメータを基に、レーザー装置が放出する平均放射パワー（詳細は後述する）を算出し、レーザー光の安全レベルを判定するために、各クラスごとの所定の閾値（AEL（Accessible emission limit））を決定し、算出した平均放射パワーと決定したAELを比較することで、レーザー装置から放出されるレーザー光の安全レベルを判定し、判定結果を表示部１４に供給する。
【００９９】
また、演算部５５は、特定したパラメータのうち、レーザー装置が放出するレーザー光のレーザーパワー（エネルギー）（を示す値）をタイムスタンプとともに記憶部５６に供給する。すなわち、演算部５５は、レーザー光のレーザーパワーの時間的変化を記憶部５６に記憶させる。演算部５５は、記憶部５６に記憶されているレーザー光のレーザーパワー（を示す値）およびタイムスタンプを基に、制御信号（以下、危険通知信号と称する）を表示部１４またはアラーム５７に供給する。
【０１００】
例えば、演算部５５は、記憶部５６に記憶されているレーザー光のレーザーパワー（エネルギー）の時間的変化を基に、レーザー装置から弱いレーザーパワーが長時間放出されている（すなわち、ユーザが長時間弱いレーザーパワーを浴び続けている）場合、危険通知信号を表示部１４またはアラーム５７に供給する。
【０１０１】
演算部５５は、特徴量特定部７１、平均放射パワー算出部７２、AEL決定部７３、および安全レベル判定部７４を含む。
【０１０２】
特徴量特定部７１は、A/D変換部５２−１乃至A/D変換部５２−Ｎから供給された波長帯ごとのレーザー光の強さを示すデジタルデータを基に、波長帯ごとにレーザー装置から放出されたレーザー光のレーザーパワー（波高値）、波長、パルス幅、パルスの繰り返し周波数、および放出持続時間などのパラメータ（特徴量）を特定する。特徴量特定部７１は、特定したパラメータのうち、レーザーパワー、パルスの繰り返し周波数、および放出持続時間を平均放射パワー算出部７２に供給し、特定した波長、放出持続時間、およびパルスの幅をAEL決定部７３に供給する。
【０１０３】
例えば、特徴量特定部７１は、A/D変換部５２−４から供給された500（nm）の波長のレーザー光の強さを示すデジタルデータを基に、レーザー装置から放出されたレーザー光の“5.0×10-6（W）”であるレーザーパワー（波高値）、“500（nm）”である波長、“1.5（s）”であるパルス幅、“100（Hz）”であるパルスの繰り返し周波数、および“15（s）”である放出持続時間を特定し、特定した“5.0×10-6（W）”であるレーザーパワー、“100（Hz）”であるパルスの繰り返し周波数、および“15（s）”である放出持続時間を平均放射パワー算出部７２に供給し、特定した“500（nm）”である波長、“15（s）”である放出持続時間、および“1.5（s）”であるパルスの幅をAEL決定部７３に供給する。
【０１０４】
また、ユーザの操作によりパラメータ（波長、パルスの幅、パルスの繰り返し周波数、および放出持続時間）が入力された場合、特徴量特定部７１は、A/D変換部５２から供給された波長帯ごとのレーザー光の強さを示すデジタルデータを基に、波長帯ごとにレーザー装置から放出されたレーザー光のレーザーパワー（波高値）を特定する。特徴量特定部７１は、特定したレーザーパワーを平均放射パワー算出部７２に供給する。すなわち、特徴量特定部７１は、レーザーパワーのみを特定する。
【０１０５】
例えば、ユーザの操作によりパラメータが入力された場合、特徴量特定部７１は、A/D変換部５２から供給された500（nm）の波長のレーザー光の強さを示すデジタルデータを基に、レーザー装置から放出されたレーザー光の“5.0×10-6（W）”であるレーザーパワー（波高値）を特定し、特定した“5.0×10-6（W）”であるレーザーパワーを平均放射パワー算出部７２に供給する。
【０１０６】
平均放射パワー算出部７２は、特徴量特定部７１から供給されたレーザーパワー、パルスの繰り返し周波数、および放出持続時間を基に、平均放射パワーを算出する。平均放射パワー算出部７２は、算出した平均放射パワーを安全レベル判定部７４に供給する。
【０１０７】
また、ユーザの操作によりパラメータが入力された場合、平均放射パワー算出部７２は、特徴量特定部７１から供給されたレーザーパワー、並びに操作部１３から供給されたパルスの繰り返し周波数および放出持続時間を基に、平均放射パワーを算出し、算出した平均放射パワーを安全レベル判定部７４に供給する。
【０１０８】
平均放射パワー算出部７２が算出する平均放射パワーは、例えば、以下の演算により求めることができる。
【０１０９】
まず、レーザー装置（図示せず）からの単一パルスの放射エネルギーQは、式（１）のように表すことができる。
【０１１０】
放射エネルギーQ = レーザーパワーP × 放出持続時間t・・・（１）
【０１１１】
また、平均放射パワーPaは、式（２）のように表すことができる。
【０１１２】
平均放射パワーPa = 放射エネルギーQ × パルスの繰り返し周波数F・・・（２）
【０１１３】
したがって、式（１）および式（２）より、平均放射パワーPaは、式（３）のように表すことができる。
【０１１４】
平均放射パワーPa = レーザーパワーP ×放出持続時間t × パルスの繰り返し周波数F・・・（３）
【０１１５】
すなわち、平均放射パワー算出部７２は、式（３）の変数について、レーザーパワーPに特徴量特定部７１から供給されたレーザーパワー、放出持続時間tに特徴量特定部７１から供給された放出持続時間、およびパルスの繰り返し周波数Fに特徴量特定部７１から供給されたパルスの繰り返し周波数Fをそれぞれ代入することにより、平均放射パワーPaを算出し、算出した平均放射パワーPaを安全レベル判定部７４に供給する。
【０１１６】
例えば、平均放射パワー算出部７２は、レーザーパワーPに特徴量特定部７１から供給された“5.0×10-6（W）”であるレーザーパワー、放出持続時間tに特徴量特定部７１から供給された“15（s）”である放出持続時間、およびパルスの繰り返し周波数Fに特徴量特定部７１から供給された“100（Hz）”であるパルスの繰り返し周波数をそれぞれ式（３）に代入することにより、“7.5×10-3（J）”である平均放射パワーPaを算出し、算出した“7.5×10-3（J）”である平均放射パワーPaを安全レベル判定部７４に供給する。
【０１１７】
また、例えば、ユーザの操作によりパラメータが入力された場合、平均放射パワー算出部７２は、レーザーパワーPに特徴量特定部７１から供給された“5.0×10-6（W）”であるレーザーパワー、放出持続時間tに操作部１３から供給された“15（s）”である放出持続時間、およびパルスの繰り返し周波数Fに操作部１３から供給された“100（Hz）”であるパルスの繰り返し周波数をそれぞれ式（３）に代入することにより、“7.5×10-3（J）”である平均放射パワーPaを算出し、算出した“7.5×10-3（J）”である平均放射パワーPaを安全レベル判定部７４に供給する。
【０１１８】
なお、上述した平均放射パワー算出部７２が算出する平均放射パワーの算出方法は、一例であり、他の方法により算出するようにしてもよい。
【０１１９】
AEL決定部７３は、特徴量特定部７１から供給された波長、パルスの幅、および放出持続時間、並びに画像処理部５４から供給された視角を基に、記憶部５６に記憶されている後述するクラス１、クラス２、クラス３Ａ、またはクラス３ＢのAELテーブルから、各クラスにおけるAELを決定する。AEL決定部７３は、決定したAELを安全レベル判定部７４に供給する。
【０１２０】
また、ユーザの操作によりパラメータが入力された場合、AEL決定部７３は、操作部１３から供給された波長、パルスの幅、および放出持続時間、並びに画像処理部５４から供給された視角を基に、記憶部５６に記憶されている後述するクラス１、クラス２、クラス３Ａ、またはクラス３ＢのAELテーブルから、各クラスにおけるAELを決定する。AEL決定部７３は、決定したAELを安全レベル判定部７４に供給する。
【０１２１】
ここで、レーザー光の安全レベルのクラスの詳細について説明する。クラスとは、JIS（Japanese Industrial Standard：日本工業規格）により定められた規格で、レーザーパワー（エネルギー）に応じた危険度により分類したものである。クラス１が、「人体に影響を与えない」レベルの危険度であり、クラス２は、「まばたきなどの眼の嫌悪感によって眼の保護がなされる」レベルの危険度であり、クラス３Ａが、「まばたきなどの眼の嫌悪感によって眼の保護がなされるが、光学的手段で直接ビーム内を観察することは危険である」レベルの危険度であり、クラス３Ｂが、「直接ビーム内を観察することは危険であり、拡散反射では眼への障害はない」レベルの危険度であり、クラス４が、「拡散反射でも眼に障害を与える危険性が高く、皮膚障害や火災発生の可能性もある」レベルの危険度である。
【０１２２】
すなわち、レーザー装置が放出するレーザー光のレーザーパワー（エネルギー）は、クラス１、クラス２、クラス３Ａ、クラス３Ｂ、またはクラス４のうちのいずれかのクラスに分類される。
【０１２３】
また、AELとは、レーザー製品の各クラスで定められた最大被爆放出レベルであり、後述する各クラスのAELテーブルにより決定される。
【０１２４】
例えば、AEL決定部７３は、特徴量特定部７１から“500（nm）“である波長、”1.5（s）“であるパルスの幅、および“15（s）”である放出持続時間、画像処理部５４から“1（mrad）”である視角が供給された場合、後述するクラス１のレーザー製品のAELテーブルにより、クラス１のAELを“3.9×10-3（J）”に決定し、後述するクラス２のレーザー製品のAELテーブルにより、クラス２のAELを“1.5×10-2（J）”に決定し、後述するクラス３Ａのレーザー製品のAELテーブルにより、クラス３ＡのAELを“7.5×10-2（J）及び375（Jm-2）”に決定し、後述するクラス３Ｂのレーザー製品のAELテーブルにより、クラス３ＢのAELを“7.5（J）”を決定して、決定した各クラスのAEL（の値）を安全レベル判定部７４に供給する。
【０１２５】
また、例えば、ユーザの操作によりパラメータが入力された場合、AEL決定部７３は、操作部１３から“500（nm）“である波長、”1.5（s）“であるパルスの幅、および“15（s）”である放出持続時間、画像処理部５４から“1（mrad）”である視角が供給された場合、後述するクラス１のレーザー製品のAELテーブルにより、クラス１のAELを“3.9×10-3（J）”に決定し、後述するクラス２のレーザー製品のAELテーブルにより、クラス２のAELを“1.5×10-2（J）”に決定し、後述するクラス３Ａのレーザー製品のAELテーブルにより、クラス３ＡのAELを“7.5×10-2（J）及び375（Jm-2）”に決定し、後述するクラス３Ｂのレーザー製品のAELテーブルにより、クラス３ＢのAELを“7.5（J）”を決定して、決定した各クラスのAEL（の値）を安全レベル判定部７４に供給する。
【０１２６】
なお、上述したAEL決定部７３が決定するAELの決定方法は、一例であり、他の方法により決定するようにしてもよい。
【０１２７】
安全レベル判定部７４は、平均放射パワー算出部７２から供給された平均放射パワーおよびAEL決定部７３から供給された各クラスのAEL（の値）を基に、レーザー光の安全レベルを判定する。安全レベル判定部７４は、レーザー光の安全レベルの判定結果を表示部１４に供給する。
【０１２８】
例えば、安全レベル判定部７４は、AEL決定部７３から、クラス１のAELとして“3.9×10-3（J）”、クラス２のAELとして“1.5×10-2（J）”、クラス３ＡのAELとして“7.5×10-2（J）及び375（Jm-2）”、およびクラス３ＢのAELとして“7.5（J）”が供給された場合、平均放射パワー算出部７２から供給された平均放射パワーが“3.9×10-3（J）”（クラス１のAEL）以下のであるとき、レーザー光の安全レベルをクラス１と判定し、平均放射パワーが“3.9×10-3（J）”（クラス１のAEL）を超えていて、“1.5×10-2（J）”（クラス２のAEL）以下であるとき、レーザー光の安全レベルをクラス２と判定し、平均放射パワーが“1.5×10-2（J）”（クラス２のAEL）を超えていて、“1.5×10-2（J）及び375（Jm-2）”（クラス３ＡのAEL）以下であるとき、レーザー光の安全レベルをクラス３Ａと判定し、平均放射パワーが“1.5×10-2（J）及び375（Jm-2）”（クラス３ＡのAEL）を超えていて、“7.5（J）”（クラス３ＢのAEL）以下であるとき、レーザー光の安全レベルをクラス３Ｂと判定し、平均放射パワーが“7.5（J）”（クラス３ＢのAEL）を超えているとき、レーザー光の安全レベルをクラス４と判定する。
【０１２９】
より具体的には、安全レベル判定部７４は、平均放射パワー算出部７２から供給された平均放射パワーが“7.5×10-3（J）”である場合、平均放射パワーが“3.9×10-3（J）”（クラス１のAEL）を超えていて、“1.5×10-2（J）”（クラス２のAEL）以下であるので、レーザー光の安全レベルをクラス２と判定し、“クラス２”であるレーザー光の安全レベルの判定結果を表示部１４に供給する。
【０１３０】
なお、上述した安全レベル判定部７４が判定するレーザー光の安全レベルの判定方法は、一例であり、他の方法により判定するようにしてもよい。
【０１３１】
表示部１４は、例えば、針式のメータによるアナログ表示、LEDを使用したデジタル表示、またはLCDを使用した表示などにより、レーザー光の安全レベルがクラスで分類されて表示される。表示部１４は、安全レベル判定部７４から供給されたレーザー光の安全レベルの判定結果を基に、レーザー光の安全レベルのクラスを表示する。
【０１３２】
例えば、表示部１４は、安全レベル判定部７４から“クラス２”であるレーザー光の安全レベルの判定結果が供給された場合、“クラス２”であるレーザー光の安全レベルを表示する。より具体的には、表示部１４がアナログ形式である場合には、例えば、針により“クラス２”の目盛盤を指し示し、表示部１４がデジタル形式である場合には、例えば、“クラス２”を示す数のLEDを点灯させることにより、“クラス２”であるレーザー光の安全レベルを表示する。
【０１３３】
このように、表示部１４は、レーザー光の安全レベルのクラスをアナログ形式またはデジタル形式により表示することができるので、ユーザは、表示部１４に表示されたレーザー光の安全レベルのクラスを確認することにより、瞬時にレーザー装置から放出されているレーザー光が危険であるか否かを判断することができる。その結果、レーザー光によって発生する危険を回避することができるようになる。
【０１３４】
また、表示部１４は、演算部５５から供給された危険通知信号を基に、危険を示す通知を表示する。より具体的には、表示部１４がアナログ形式である場合には、例えば、針を左右に揺らしたり、針を振り切った状態にすることで、ユーザに異常を知らせるようにする。また、表示部１４がデジタル形式である場合には、例えば、LEDを点滅させたり、LEDが通常の色とは別の色（例えば、赤色）で点灯させたりすることにより、ユーザに異常を知らせるようにする。
【０１３５】
このように、例えば、クラス１またはクラス２などの比較的安全なクラスのレーザー光であっても、レーザー光を長時間浴び続けることは人体にとって好ましくなく、また、ユーザとっては、比較的安全なクラスのレーザーパワーである為に、油断が生じてしまうことがあるので、表示部１４が危険を示す通知を表示することにより、ユーザに注意を促すことができるので、その結果、ユーザがレーザー光を長時間浴びることによって発生する危険を回避することができる。
【０１３６】
記憶部５６は、例えば、EEPROM（Electronically Erasable and Programmable Read Only Memory）またはフラッシュメモリなどの不揮発性メモリなどから構成され、後述するクラス１のAELテーブル、クラス２のAELテーブル、クラス３ＡのAELテーブル、およびクラス３ＢのAELテーブルを記憶する。また、記憶部５６は、演算部５５から供給されるレーザーパワー（を示す値）をタイムスタンプとともに順次記憶する。すなわち、記憶部５６は、レーザーパワー（エネルギー）の時間的変化を記憶する。
【０１３７】
アラーム５７は、例えば、ブザーやスピーカなどの警報装置であり、演算部５５から供給された危険通知信号に基づいて、例えば、電子音（例えば、ブザー音）などの警報を鳴らす。例えば、アラーム５７は、ユーザが安全のレベルが低いクラス（例えば、クラス１またはクラス２）のレーザー光を長時間浴びている場合、演算部５５から供給された危険通知信号に基づいて、アラームを鳴らすことにより、レーザー光を長時間浴びているユーザに対して注意を促す。
【０１３８】
すなわち、例えば、クラス１またはクラス２などの比較的安全なクラスのレーザー光であっても、レーザー光を長時間浴び続けることは人体にとって好ましくなく、また、ユーザとっては、比較的安全なクラスのレーザーパワーである為に、油断が生じてしまうことがあるので、アラーム５７がアラーム音を鳴らすことにより、ユーザに注意を促すことができるので、その結果、ユーザがレーザー光を長時間浴びることによって発生する危険を回避することができる。
【０１３９】
外部インターフェイス５８は、例えば、シリアル、パラレル、IEEE（Institute of Electrical and Electronics Engineers）1394、USB（Universal Serial Bus）インターフェイスなどの有線用インターフェイス、または光や電波による無線インターフェイスから構成される。すなわち、外部インターフェイス５８は、有線、無線のいずれの通信のインターフェイスであってもよい。
【０１４０】
例えば、外部インターフェイス５８は、外部のパーソナルコンピュータ（図示せず）と接続することにより、外部のパーソナルコンピュータから入力されるパラメータを演算部５５に供給する。また、外部インターフェイス５８は、演算部５５から供給されたレーザーパワー（エネルギー）の時間的変化を外部のパーソナルコンピュータに供給し、記憶させる。
【０１４１】
以下、フォトディテクタ５１−１乃至フォトディテクタ５１−Ｎを個々に区別する必要がない場合、単にフォトディテクタ５１と称する。また、A/D変換部５２−１乃至A/D変換部５２−Ｎを個々に区別する必要がない場合、単にA/D変換部５２と称する。
【０１４２】
なお、単一の波長のレーザー光を測定する場合、操作部１３がユーザの操作で入力された波長を取得することにより、分光器１１を設けずにフォトディテクタ５１がレーザー光を直接受光するようにしてもよい。
【０１４３】
次に、図４乃至図１０を参照して、レーザーテスタ１がパラメータ（例えば、波長、パルスの幅、パルスの繰り返し周波数、または放出持続時間などの特徴量）を検出する場合のレーザー光の安全レベルを表示する処理と、ユーザがパラメータを手動で設定する場合のレーザー光の安全レベルを表示する処理について説明する。
【０１４４】
なお、図４乃至図１０を参照して説明する例においては、レーザー装置（図示せず）が“500（nm）”である波長のレーザー光（単一の波長のレーザー光）を放出している場合に、そのレーザー光をレーザーテスタ１で測定する処理を一例として説明する。
【０１４５】
まず、図４のフローチャートを参照して、レーザーテスタ１がパラメータを検出することにより、パラメータ検出時の安全レベル表示の処理について説明する。
【０１４６】
ステップＳ１１において、分光器１１は、レーザー装置から放出されたレーザー光を波長帯ごとに分ける。分光器１１は、波長ごとに分けられたレーザー光をフォトディテクタ５１に供給する。例えば、ステップＳ１１において、分光器１１は、レーザー装置から放出された“500（nm）“である波長のレーザー光をフォトディテクタ５１に供給する。
【０１４７】
ステップＳ１２において、フォトディテクタ５１およびA/D変換部５２は、波長帯ごとのレーザー光の光量を検出する。
【０１４８】
具体的には、ステップＳ１２において、フォトディテクタ５１は、分光器１１から供給されたレーザー光を受光し、受光したレーザー光の強さ（光量）に応じた電流を生成し、生成した電流をA/D変換部５２に供給する。A/D変換部５２は、フォトディテクタ５１から供給された電流にアナログデジタル変換の処理を適用して、その電流値に応じたデジタルデータを出力する。A/D変換部５２は、アナログデジタル変換の処理により出力されたデジタルデータを演算部５５の特徴量特定部７１に供給する。
【０１４９】
例えば、ステップＳ１２において、フォトディテクタ５１は、分光器１１から500（nm）である波長のレーザー光が供給された場合、500（nm）である波長のレーザー光を受光し、受光したレーザー光の強さ（光量）に応じた光の強さを示す電流を生成し、生成した電流をA/D変換部５２に供給する。A/D変換部５２は、フォトディテクタ５１から供給された500（nm）の波長のレーザー光のアナログ信号である電流にアナログデジタル変換の処理を適用して、その電流値に応じたデジタルデータを出力する。A/D変換部５２は、アナログデジタル変換の処理により出力された500（nm）の波長のレーザー光のデジタルデータを演算部５５の特徴量特定部７１に供給する。
【０１５０】
ステップＳ１３において、特徴量特定部７１は、A/D変換部５２から供給された波長帯ごとのレーザー光のデジタルデータを基に、波長帯ごとにレーザー装置から放出されたレーザー光のレーザーパワー（波高値）、波長、パルス幅、パルスの繰り返し周波数、および放出持続時間などのパラメータ（特徴量）を特定する。特徴量特定部７１は、特定したパラメータのうち、レーザーパワー、パルスの繰り返し周波数、および放出持続時間を平均放射パワー算出部７２に供給し、特定した波長、放出持続時間、およびパルスの幅をAEL決定部７３に供給する。
【０１５１】
例えば、ステップＳ１３において、特徴量特定部７１は、A/D変換部５２から供給された500（nm）の波長のレーザー光のデジタルデータを基に、レーザー装置から放出されたレーザー光の“5.0×10-6（W）”であるレーザーパワー（波高値）、“500（nm）”である波長、“1.5（s）”であるパルス幅、“100（Hz）”であるパルスの繰り返し周波数、および“15（s）”である放出持続時間を特定し、特定した“5.0×10-6（W）”であるレーザーパワー、“100（Hz）”であるパルスの繰り返し周波数、および“15（s）”である放出持続時間を平均放射パワー算出部７２に供給し、特定した“500（nm）”である波長、“15（s）”である放出持続時間、および“1.5（s）”であるパルスの幅をAEL決定部７３に供給する。
【０１５２】
ステップＳ１４において、光学ブロック１２、CCD５３、および画像処理部５４は、レーザー光の視角を検出する。
【０１５３】
すなわち、ステップＳ１４において、CCD５３は、光学ブロック１２により結像されたレーザー光を光電変換することにより、レーザー光をアナログの電気信号に変換する。CCD５３は、変換したアナログ信号である画像信号を画像処理部５４に供給する。画像処理部５４は、例えば、光学ブロック１２の光学レンズ（図示せず）のF値などを基に、デジタルデータである画像データから、レーザー光源を見たときの眼からレーザー光源に入る角度である視角を検出し、検出した視角をAEL決定部７３に供給する。
【０１５４】
例えば、ステップＳ１４において、CCD５３は、光学ブロック１２により結像されたユーザがレーザー装置から放出されたレーザー光を見たと仮定したときのレーザー光を光電変換することにより、レーザー光をアナログの電気信号に変換し、変換したアナログ信号であるユーザがレーザー装置から放出されたレーザー光を見たと仮定した場合の画像信号を画像処理部５４に供給する（すなわち、CCD５３は、ユーザがレーザー装置を見たと仮定した場合の画像を撮像する）。画像処理部５４は、例えば、光学ブロック１２の光学レンズのF値などを基に、デジタルデータであるユーザがレーザー装置から放出されたレーザー光を見たと仮定した場合の画像データから、“1（mrad）”である視角を検出し、検出した“1（mrad）”である視角をAEL決定部７３に供給する。
【０１５５】
ステップＳ１５において、平均放射パワー算出部７２は、特徴量特定部７１から供給されたレーザーパワー、パルスの繰り返し周波数、および放出持続時間を基に、平均放射パワーを算出する。平均放射パワー算出部７２は、算出した平均放射パワーを安全レベル判定部７４に供給する。
【０１５６】
例えば、ステップＳ１５において、平均放射パワー算出部７２は、上述した式（３）から、平均放射パワーを算出する。すなわち、平均放射パワーPa = レーザーパワーP ×放出持続時間t × パルスの繰り返し周波数Fの変数について、レーザーパワーPに特徴量特定部７１から供給されたレーザーパワー、放出持続時間tに特徴量特定部７１から供給された放出持続時間、およびパルスの繰り返し周波数Fに特徴量特定部７１から供給されたパルスの繰り返し周波数Fをそれぞれ代入することにより、平均放射パワーPaを算出し、算出した平均放射パワーPaを安全レベル判定部７４に供給する。
【０１５７】
より具体的には、ステップＳ１５において、平均放射パワー算出部７２は、レーザーパワーPに特徴量特定部７１から供給された“5.0×10-6（W）”であるレーザーパワー、放出持続時間tに特徴量特定部７１から供給された“15（s）”である放出持続時間、およびパルスの繰り返し周波数Fに特徴量特定部７１から供給された“100（Hz）”であるパルスの繰り返し周波数をそれぞれ式（３）に代入することにより、“7.5×10-3（J）”である平均放射パワーPaを算出し、算出した“7.5×10-3（J）”である平均放射パワーPaを安全レベル判定部７４に供給する。
【０１５８】
ステップＳ１６において、AEL決定部７３は、特徴量特定部７１から供給された波長、パルスの幅、および放出持続時間、並びに画像処理部５４から供給された視角を基に、記憶部５６に記憶されているクラス１、クラス２、クラス３Ａ、またはクラス３ＢのAELテーブルから、各クラスにおけるAELを決定する。AEL決定部７３は、決定したAEL（の値）を安全レベル判定部７４に供給する。
【０１５９】
以下、図５乃至図８を参照して、AELを決定するAELテーブルについて説明する。また、図５乃至図８の各クラスのAELテーブルに格納されているAEL（の値）のうち、C1乃至C7、並びにT1およびT2であるパラメータを含むAEL（の値）があるが、そのパラメータについては、後述する図９を参照して説明する。
【０１６０】
まず、図５を参照して、クラス１レーザー製品のAELテーブルについて説明する。
【０１６１】
クラス１レーザー製品のAELテーブルは、レーザー光の安全レベルのクラス１を判定するためのAELを決定するためのテーブルである。
【０１６２】
図５で示されるクラス１レーザー製品のAELの例において、１行目および２行目は項目を示し、３行目以降は各波長のAELを示す。また、１列目は項目、２列目は放出持続時間が10-9（s）よりも少ない場合のAEL、３列目は放出持続時間が10-9乃至10-7（s）の間である場合のAEL、４列目は放出持続時間が10-7乃至1.8×10-5（s）の間である場合のAEL、５列目は放出持続時間が1.8×10-5乃至5×10-5（s）の間である場合のAEL、６列目は放出持続時間が5×10-5乃至1×10-3（s）の間である場合のAEL、７列目は放出持続時間が1×10-3乃至3（s）の間である場合のAEL、８列目は放出持続時間が3乃至10（s）の間である場合のAEL、９列目は放出持続時間が10乃至103（s）の間である場合のAEL、１０列目は放出持続時間が103乃至104（s）の間である場合のAEL、１１列目は放出持続時間が104乃至3×104（s）の間である場合のAELを示す。すなわち、クラス１レーザ製品のAELテーブルには、波長と放出持続時間により決定されるAEL（の値）が格納されている。
【０１６３】
例えば、図５で示されるクラス１レーザー製品のAELの例において、180乃至302.5（nm）である波長に対して、放出持続時間が10-9（s）よりも少ない場合、2.4×104（W）であるAEL、放出持続時間が10-9乃至3×104（s）の場合、2.4×10-5（J）であるAELが格納されている。
【０１６４】
また、302.5乃至315（nm）である波長に対して、放出持続時間が10-9（s）よりも少ない場合、2.4×104（W）であるAEL、放出持続時間が10-9乃至10（s）の場合、t<T1（s）のときには、7.9×10-7C1（J）であるAELが格納され、それに対して、t>T1（s）のときには、7.9×10-7C2（J）であるAELが格納されている。さらに、302.5乃至315（nm）である波長に対して、放出持続時間が10乃至3×104（s）の場合、7.9×10-7C2（J）であるAELが格納されている。
【０１６５】
また、315乃至400（nm）である波長に対して、放出持続時間が10-9（s）よりも少ない場合、2.4×104（W）であるAEL、放出持続時間が10-9乃至10（s）の場合、7.9×10-7C1（J）であるAEL、放出持続時間が10乃至103の場合、7.9×10-3（J）であるAEL、放出持続時間が103乃至3×104（s）の場合、7.9×10-6（W）であるAELが格納されている。
【０１６６】
さらに、400乃至550（nm）である波長に対して、放出持続時間が10-9（s）よりも少ない場合、200C6（W）であるAEL、放出持続時間が10-9乃至1.8×10-5（s）の場合、2×10-7C6（J）であるAEL、放出持続時間が1.8×10-5乃至10（s）の場合、7×10-4t0.75C6（J）であるAEL、放出持続時間が10乃至104（s）の場合、3.9×10-3C6（J）であるAEL、放出持続時間が104乃至3×104（s）の場合、3.9×10-7C6（W）であるAELが格納されている。
【０１６７】
また、550乃至700（nm）である波長に対して、放出持続時間が10-9（s）よりも少ない場合、200C6（W）であるAEL、放出持続時間が10-9乃至1.8×10-5（s）の場合、2×10-7C6（J）であるAEL、放出持続時間が1.8×10-5乃至10（s）の場合、7×10-4t0.75C6（J）であるAEL、放出持続時間が10乃至104（s）の場合、t<T2（s）のときには、7.9×10-4t0.75C6（J）であるAELが格納され、それに対して、t>T2（s）のときには、3.9×10-3C3C6（J）であるAELが格納されている。さらに、550乃至700（nm）である波長に対して、放出持続時間が104乃至3×104（s）の場合、3.9×10-7C3C6（W）であるAELが格納されている。
【０１６８】
また、700乃至1050（nm）である波長に対して、放出持続時間が10-9（s）よりも少ない場合、200C4C6（W）であるAEL、放出持続時間が10-9乃至1.8×10-5（s）の場合、2×10-7C4C6（J）であるAEL、放出持続時間が1.8×10-5乃至103（s）の場合、7×10-4t0.75C4C6（J）であるAEL、放出持続時間が103乃至3×104（s）の場合、1.2×10-4C4C6（W）であるAELが格納されている。
【０１６９】
さらに、1050乃至1400（nm）である波長に対して、放出持続時間が10-9（s）よりも少ない場合、2×103C6C7（W）であるAEL、放出持続時間が10-9乃至5×10-5（s）の場合、2×10-6C6C7（J）であるAEL、放出持続時間が5×10-5乃至103（s）の場合、3.5×10-3t0.75C6C7（J）であるAEL、放出持続時間が103乃至3×104（s）の場合、6×10-4C6C7（W）であるAELが格納されている。
【０１７０】
また、1400乃至1500（nm）である波長に対して、放出持続時間が10-9（s）よりも少ない場合、8×105（W）であるAEL、放出持続時間が10-9乃至1×10-3（s）の場合、8×10-4（J）であるAEL、放出持続時間が1×10-3乃至3（s）の場合、4.4×10-3t0.25（J）であるAEL、放出持続時間が3乃至10（s）の場合、5.4×10-2t0.25（J）であるAEL、放出持続時間が10乃至3×104（s）の場合、10-2（W）であるAELが格納されている。
【０１７１】
さらに、1500乃至1800（nm）である波長に対して、放出持続時間が10-9（s）よりも少ない場合、8×106（W）であるAEL、放出持続時間が10-9乃至3（s）の場合、8×10-3（J）であるAEL、放出持続時間が3乃至10（s）の場合、0.1（J）であるAEL、放出持続時間が10乃至3×104（s）の場合、10-2（W）であるAELが格納されている。
【０１７２】
また、1800乃至2600（nm）である波長に対して、放出持続時間が10-9（s）よりも少ない場合、8×105（W）であるAEL、放出持続時間が10-9乃至1×10-3（s）の場合、8×10-4（J）であるAEL、放出持続時間が1×10-3乃至3（s）の場合、4.4×10-3t0.25（J）であるAEL、放出持続時間が3乃至10（s）の場合、5.4×10-2t0.25（J）であるAEL、放出持続時間が10乃至3×104（s）の場合、10-2（W）であるAELが格納されている。
【０１７３】
さらに、2600乃至4000（nm）である波長に対して、放出持続時間が10-9（s）よりも少ない場合、8×104（W）であるAEL、放出持続時間が10-9乃至10-7（s）の場合、8×10-5（J）であるAEL、放出持続時間が10-7乃至3（s）の場合、4.4×10-3t0.25（J）であるAEL、放出持続時間が3乃至10（s）の場合、5.4×10-2t0.25（J）であるAEL、放出持続時間が10乃至3×104（s）の場合、10-2（W）であるAELが格納されている。
【０１７４】
さらに、4000乃至106（nm）である波長に対して、放出持続時間が10-9（s）よりも少ない場合、1011（Wm-2）であるAEL、放出持続時間が10-9乃至10-7（s）の場合、100（Jm-2）であるAEL、放出持続時間が10-7乃至10（s）の場合、5.6×103t0.25（Jm-2）であるAEL、放出持続時間が10乃至3×104（s）の場合、103（Wm-2）であるAELが格納されている。
【０１７５】
例えば、ステップＳ１６において、AEL決定部７３は、特徴量特定部７１から供給された波長、パルスの幅、および放出持続時間、並びに画像処理部５４から供給された視角を基に、上述したクラス１のAELテーブルから、クラス１におけるAELを決定する。
【０１７６】
より具体的には、例えば、ステップＳ１６において、AEL決定部７３は、特徴量特定部７１から“500（nm）“である波長、”1.5（s）“であるパルスの幅、および“15（s）”である放出持続時間、並びに画像処理部５４から“1（mrad）”である視角が供給された場合、“500（nm）“である波長と“15（s）”である放出持続時間から、“3.9×10-3C6（J）”であるクラス１のAELを決定する。また、図９を参照して後述するように、視角α<1.5（mrad）の場合、C6=1.0となるので、“1（mrad）”である視角から、クラス１のAELは、“3.9×10-3×1.0（J）”となる。すなわち、クラス１のAELは、“3.9×10-3（J）”と決定される。
【０１７７】
次に、図６を参照して、クラス２レーザー製品のAELテーブルについて説明する。
【０１７８】
クラス２レーザー製品のAELテーブルは、レーザー光の安全レベルのクラス２を判定するためのAELを決定するためのテーブルである。
【０１７９】
図６で示されるクラス２レーザー製品のAELの例において、１行目および２行目は項目を示し、３行目は400乃至700（nm）である波長のAELを示す。また、１列目は項目、２列目は放出持続時間が10-9（s）よりも少ない場合のAEL、３列目は放出持続時間が10-9乃至1.8×10-5（s）の間である場合のAEL、４列目は放出持続時間が1.8×10-5乃至0.25（s）の間である場合のAEL、５列目は放出持続時間が0.25乃至3×104（s）の間である場合のAELを示す。すなわち、クラス２レーザー製品のAELテーブルには、波長と放出持続時間により決定されるAEL（の値）が格納されている。
【０１８０】
例えば、図６で示されるクラス２レーザー製品のAELの例において、400乃至700（nm）である波長に対して、放出持続時間が10-9（s）よりも少ない場合、200C6（W）であるAEL、放出持続時間が10-9乃至1.8×10-5（s）の場合、2×10-7C6（J）であるAEL、放出持続時間が1.8×10-5乃至0.25（s）の場合、7×10-4t0.75（J）であるAEL、放出持続時間が0.25乃至3×104（s）の場合、C6×10-3（W）であるAELが格納されている。
【０１８１】
例えば、ステップＳ１６において、AEL決定部７３は、特徴量特定部７１から供給された波長、パルスの幅、および放出持続時間、並びに画像処理部５４から供給された視角を基に、上述したクラス２のAELテーブルから、クラス２におけるAELを決定する。
【０１８２】
より具体的には、例えば、ステップＳ１６において、AEL決定部７３は、特徴量特定部７１から“500（nm）“である波長、”1.5（s）“であるパルスの幅、および“15（s）”である放出持続時間、並びに画像処理部５４から“1（mrad）”である視角が供給された場合、“500（nm）“である波長と“15（s）”である放出持続時間から、“C6×10-3（W）”であるクラス２のAELを決定する。また、図９を参照して後述するように、視角α<1.5（mrad）の場合、C6=1.0となるので、“1（mrad）”である視角から、クラス２のAELは、“1.0×10-3（W）”となる。すなわち、クラス２のAELは、“仕事（J）=仕事率（W）×時間（s）“の関係より、“1.5×10-2（J）”と決定される。
【０１８３】
次に、図７を参照して、クラス３Ａレーザー製品のAELテーブルについて説明する。
【０１８４】
クラス３Ａレーザー製品のAELテーブルは、レーザー光の安全レベルのクラス３Ａを判定するためのAELを決定するためのテーブルである。
【０１８５】
図７で示されるクラス３Ａレーザー製品のAELの例において、１行目および２行目は項目を示し、３行目以降は各波長のAELを示す。また、１列目は項目、２列目は放出持続時間が10-9（s）よりも少ない場合のAEL、３列目は放出持続時間が10-9乃至10-7（s）の間である場合のAEL、４列目は放出持続時間が10-7乃至1.8×10-5（s）の間である場合のAEL、５列目は放出持続時間が1.8×10-5乃至5×10-5（s）の間である場合のAEL、６列目は放出持続時間が5×10-5乃至1×10-3（s）の間である場合のAEL、７列目は放出持続時間が1×10-3乃至0.25（s）の間である場合のAEL、８列目は放出持続時間が0.25乃至3（s）の間である場合のAEL、９列目は放出持続時間が3乃至10（s）の間である場合のAEL、１０列目は放出持続時間が10乃至103（s）の間である場合のAEL、１１列目は放出持続時間が103乃至3×104（s）の間である場合のAELのAELを示す。すなわち、クラス３Ａレーザー製品のAELには、波長と放出持続時間により決定されるAELが格納されている。
【０１８６】
例えば、図７で示されるクラス３Ａレーザー製品のAELの例において、180乃至302.5（nm）である波長に対して、放出持続時間が10-9（s）よりも少ない場合、1.2×105（W）及び3×1010（Wm-2）であるAEL、放出持続時間が10-9乃至3×104（s）の場合、1.2×10-4及び30（Jm-2）であるAELが格納されている。
【０１８７】
また、302.5乃至315（nm）である波長に対して、放出持続時間が10-9（s）よりも少ない場合、1.2×105（W）及び3×1010（Wm-2）であるAEL、放出持続時間が10-9乃至10（s）の場合、t<T1（s）のときには、4.0×10-6C1（J）及びC1（Jm-2）であるAELが格納され、それに対して、t>T1（s）のときには、4×10-6C1（J）及びC1（Jm-2）であるAELが格納されている。さらに、302.5乃至315（nm）である波長に対して、放出持続時間が10乃至3×104（s）の場合、4×10-6C2（J）及びC2（Jm-2）であるAELが格納されている。
【０１８８】
また、315乃至400（nm）である波長に対して、放出持続時間が10-9（s）よりも少ない場合、1.2×105（W）及び3×1010（Wm-2）であるAEL、放出持続時間が10-9乃至10（s）の場合、4×10-6C1（J）及びC1（Jm-2）であるAEL、放出持続時間が10乃至103（s）の場合、4×10-2（J）及び104（Jm-2）であるAEL、放出持続時間が103乃至3×104（s）の場合、4×10-5（W）及び10（Wm-2）であるAELが格納されている。
【０１８９】
さらに、400乃至700（nm）である波長に対して、放出持続時間が10-9（s）よりも少ない場合、1000C6（W）及び5×106C6（Wm-2）であるAEL、放出持続時間が10-9乃至1.8×10-5（s）の場合、10-6C6（J）及び5×10-3C6（Jm-2）であるAEL、放出持続時間が1.8×10-5乃至0.25（s）の場合、3.5×10-3t0.75C6（J）及び18t0.75C6（Jm-2）であるAEL、放出持続時間が0.25乃至3×104（s）の場合、5×10-3C6（W）及び25C6（Wm-2）であるAELが格納されている。
【０１９０】
また、700乃至1050（nm）である波長に対して、放出持続時間が10-9（s）よりも少ない場合、1000C4C6（W）及び5×106C4C6（Wm-2）であるAEL、放出持続時間が10-9乃至1.8×10-5（s）の場合、10-6C4C6（J）及び5×10-3C6C7（Jm-2）であるAEL、放出持続時間が1.8×10-5乃至103（s）の場合、3.5×10-3t0.75C4C6（J）及び18t0.75C4C6（Jm-2）であるAEL、放出持続時間が103乃至3×104（s）の場合、6×10-4C4C6（W）及び3.2C4C6（Wm-2）であるAELが格納されている。
【０１９１】
さらに、1050乃至1400（nm）である波長に対して、放出持続時間が10-9（s）よりも少ない場合、104C6C7（W）及び5×107C6C7（Wm-2）であるAEL、放出持続時間が10-9乃至5×10-5（s）の場合、10-5C6C7（J）及び5×10-2C6C7（Jm-2）であるAEL、放出持続時間が5×10-5乃至103（s）の場合、1.8×10-2t0.75C6C7（J）及び90t0.75C6C7（Jm-2）であるAEL、放出持続時間が103乃至3×104（s）の場合、3×10-3C6C7（W）及び16C6C7（Wm-2）であるAELが格納されている。
【０１９２】
また、1400乃至1500（nm）である波長に対して、放出持続時間が10-9（s）よりも少ない場合、4×106（W）及び1012（Wm-2）であるAEL、放出持続時間が10-9乃至1×10-3（s）の場合、4×10-3（J）及び103（Jm-2）であるAEL、放出持続時間が1×10-3乃至3（s）の場合、2.2×10-2t0.25（J）及び5600t0.25（Jm-2）であるAEL、放出持続時間が3乃至10（s）の場合、0.27t0.25（J）及び5600t0.25（Jm-2）であるAEL、放出持続時間が10乃至3×104（s）の場合、5×10-2（W）及び103（Wm-2）であるAELが格納されている。
【０１９３】
さらに、1500乃至1800（nm）である波長に対して、放出持続時間が10-9（s）よりも少ない場合、4×107（W）及び1013（Wm-2）であるAEL、放出持続時間が10-9乃至3（s）の場合、4×10-2（J）及び104（Jm-2）であるAEL、放出持続時間が3乃至10（s）の場合、0.5（J）及び104（Jm-2）であるAEL、放出持続時間が10乃至3×104（s）の場合、5×10-2（W）及び103（Wm-2）であるAELが格納されている。
【０１９４】
また、1800乃至2600（nm）である波長に対して、放出持続時間が10-9（s）よりも少ない場合、4×106（W）及び1012（Wm-2）であるAEL、放出持続時間が10-9乃至1×10-3（s）の場合、4×10-3（J）及び103（Jm-2）であるAEL、放出持続時間が1×10-3乃至3（s）の場合、2.2×10-2t0.25（J）及び5600t0.25（Jm-2）であるAEL、放出持続時間が3乃至10（s）の場合、0.27t0.25（J）及び5600t0.25（Jm-2）であるAEL、放出持続時間が10乃至3×104（s）の場合、5×10-2（W）及び103（Wm-2）であるAELが格納されている。
【０１９５】
さらに、2600乃至4000（nm）である波長に対して、放出持続時間が10-9（s）よりも少ない場合、4×105（W）及び1011（Wm-2）であるAEL、放出持続時間が10-9乃至10-7（s）の場合、4×10-4（J）及び100（Jm-2）であるAEL、放出持続時間が10-7乃至3（s）の場合、2.2×10-2t0.25（J）及び5.6×103t0.25（Jm-2）であるAEL、放出持続時間が3乃至10（s）の場合、0.27t0.25（J）及び5600t0.25（Jm-2）であるAEL、放出持続時間が10乃至3×104（s）の場合、5×10-2（W）及び103（Wm-2）であるAELが格納されている。
【０１９６】
さらに、4000乃至106（nm）である波長に対して、放出持続時間が10-9（s）よりも少ない場合、1011（Wm-2）であるAEL、放出持続時間が10-9乃至10-7（s）の場合、100（Jm-2）であるAEL、放出持続時間が10-7乃至10（s）の場合、5.6×103t0.25（Jm-2）であるAEL、放出持続時間が10乃至3×104（s）の場合、103（Wm-2）であるAELが格納されている。
【０１９７】
例えば、ステップＳ１６において、AEL決定部７３は、特徴量特定部７１から供給された波長、パルスの幅、および放出持続時間、並びに画像処理部５４から供給された視角を基に、上述したクラス３ＡのAELテーブルから、クラス３ＡにおけるAELを決定する。
【０１９８】
より具体的には、例えば、ステップＳ１６において、AEL決定部７３は、特徴量特定部７１から“500（nm）“である波長、”1.5（s）“であるパルスの幅、および“15（s）”である放出持続時間、並びに画像処理部５４から“1（mrad）”である視角が供給された場合、“500（nm）“である波長と“15（s）”である放出持続時間から、“5×10-3C6（W）及び25C6（Wm-2）”であるクラス３ＡのAELを決定する。また、図９を参照して後述するように、視角α<1.5（mrad）の場合、C6=1.0となるので、“1（mrad）”である視角から、クラス３ＡのAELは、“5×10-3×1.0（W）及び25×1.0（Wm-2）”となる。すなわち、クラス３ＡのAELは、“仕事（J）=仕事率（W）×時間（s）“の関係より、“7.5×10-2（J）及び375（Jm-2）”と決定される。
【０１９９】
次に、図８を参照して、クラス３Ｂレーザー製品のAELテーブルについて説明する。
【０２００】
クラス３Ｂレーザー製品のAELテーブルは、レーザー光の安全レベルのクラス３Ｂを判定するためのAELを決定するためのテーブルである。
【０２０１】
図８で示されるクラス３Ｂレーザー製品のAELの例において、１行目および２行目は項目を示し、３行目以降は各波長のAELを示す。また、１列目は項目、２列目は放出持続時間が10-9（s）よりも少ない場合のAEL、３列目は放出持続時間が10-9乃至0.25（s）の間である場合のAEL、４列目は放出持続時間が0.25乃至3×104（s）の間である場合のAELを示す。すなわち、クラス３Ｂレーザー製品のAELテーブルには、波長と放出持続時間により決定されるAEL（の値）が格納されている。
【０２０２】
例えば、図８で示されるクラス３Ｂレーザー製品のAELの例において、180乃至302.5（nm）である波長に対して、放出持続時間が10-9（s）よりも少ない場合、3.8×105（W）であるAEL、放出持続時間が10-9乃至0.25（s）の場合、3.8×10-4（J）であるAEL、放出持続時間が0.25乃至3×104（s）の場合、1.5×10-3（W）であるAELが格納されている。
【０２０３】
また、302.5乃至315（nm）である波長に対して、放出持続時間が10-9（s）よりも少ない場合、1.25×104C2（W）であるAEL、放出持続時間が10-9乃至0.25（s）の場合、1.25×10-5C2（J）であるAEL、放出持続時間が0.25乃至3×104（s）の場合、5×10-5C2（W）であるAELが格納されている。
【０２０４】
さらに、315乃至400（nm）である波長に対して、放出持続時間が10-9（s）よりも少ない場合、1.25×108（W）であるAEL、放出持続時間が10-9乃至0.25（s）の場合、1.25（J）であるAEL、放出持続時間が0.25乃至3×104（s）の場合、0.5（W）であるAELが格納されている。
【０２０５】
また、400乃至700（nm）である波長に対して、放出持続時間が10-9（s）よりも少ない場合、3×107（W）であるAEL、放出持続時間が10-9乃至0.25（s）の場合、t<0.06（s）のときには、0.03（J）であるAELが格納され、それに対して、t>0.06（s）のときには、0.5（W）であるAELが格納されている。さらに、400乃至700（nm）である波長に対して、放出持続時間が0.25乃至3×104（s）の場合、0.5（W）であるAELが格納されている。
【０２０６】
さらに、700乃至1050（nm）である波長に対して、放出持続時間が10-9（s）よりも少ない場合、3×107C4（W）であるAEL、放出持続時間が10-9乃至0.25（s）の場合、t<0.06C4（s）のときには、0.03C4（J）であるAELが格納され、それに対して、t>0.06C4（s）のときには、0.5（W）であるAELが格納されている。さらに、700乃至1050（nm）である波長に対して、放出持続時間が0.25乃至3×104（s）の場合、0.5（W）であるAELが格納されている。
【０２０７】
また、1050乃至1400（nm）である波長に対して、放出持続時間が10-9（s）よりも少ない場合、1.5×108（W）であるAEL、放出持続時間が10-9乃至0.25（s）の場合、0.15（J）であるAEL、放出持続時間が0.25乃至3×104（s）の場合、0.5（W）であるAELが格納されている。
【０２０８】
さらに、1400乃至106（nm）である波長に対して、放出持続時間が10-9（s）よりも少ない場合、1.25×108（W）であるAEL、放出持続時間が10-9乃至0.25（s）の場合、0.125（J）であるAEL、放出持続時間が0.25乃至3×104（s）の場合、0.5（W）であるAELが格納されている。
【０２０９】
例えば、ステップＳ１６において、AEL決定部７３は、特徴量特定部７１から供給された波長、パルスの幅、および放出持続時間、並びに画像処理部５４から供給された視角を基に、上述したクラス３ＢのAELテーブルから、クラス３ＢにおけるAELを決定する。
【０２１０】
より具体的には、例えば、ステップＳ１６において、AEL決定部７３は、特徴量特定部７１から“500（nm）“である波長、”1.5（s）“であるパルスの幅、および“15（s）”である放出持続時間、並びに画像処理部５４から“1（mrad）”である視角が供給された場合、“500（nm）“である波長と“15（s）”である放出持続時間から、“0.5（W）”であるクラス３ＢのAELを決定する。すなわち、クラス３ＢのAELは、“仕事（J）=仕事率（W）×時間（s）“の関係より、“7.5（J）”と決定される。
【０２１１】
このように、ステップＳ１６において、AEL決定部７３は、特徴量特定部７１から“500（nm）“である波長、”1.5（s）“であるパルスの幅、および“15（s）”である放出持続時間、並びに画像処理部５４から“1（mrad）”である視角が供給された場合、図５のクラス１のレーザー製品のAELテーブルにより、クラス１のAELを“3.9×10-3（J）”に決定し、図６のクラス２のレーザー製品のAELテーブルにより、クラス２のAELを“1.5×10-2（J）”に決定し、図７のクラス３Ａのレーザー製品のAELテーブルにより、クラス３ＡのAELを“7.5×10-2（J）及び375（Jm-2）”に決定し、図８のクラス３Ｂのレーザー製品のAELテーブルにより、クラス３ＢのAELを“7.5（J）”と決定される。
【０２１２】
図９は、図５乃至図８の各クラスのAELテーブルに格納されたAELのパラメータを示す図である。
【０２１３】
図９で示されるAELのパラメータの例において、１行目は項目を示し、２行目以降は各波長におけるパラメータの値を示す。また、１列目は波長範囲λ（nm）、２列目はパラメータを示す。すなわち、各波長におけるパラメータが格納されている。
【０２１４】
例えば、図８で示されるクラス３Ｂレーザー製品のAELの例において、302.5乃至400（nm）である波長範囲に対して、C1=5.6×103t0.25であるパラメータが格納されている。また、302.5乃至315（nm）である波長範囲に対して、T1=100.8(λ-295)×10-15（s）であるパラメータが格納されている。さらに、302.5乃至315（nm）である波長範囲に対して、C2=100.2(λ-295)であるパラメータが格納されている。また、550乃至700（nm）である波長範囲に対して、T2=10×100.02(λ-550)（s）であるパラメータが格納されている。さらに、550乃至700（nm）である波長範囲に対して、C3=100.015(λ-550)であるパラメータが格納されている。
【０２１５】
また、700乃至1050（nm）である波長範囲に対して、C4=100.002(λ-700)であるパラメータが格納されている。さらに、1050乃至1400（nm）である波長範囲に対して、C4=5であるパラメータが格納されている。また、400乃至1400（nm）である波長範囲に対して、α<αminである場合、C6=1.0であるパラメータが格納され、αmin<α<αmaxである場合、C6=α/αminであるパラメータが格納され、α>αmaxである場合、C6=αmax/αminであるパラメータが格納されている。
【０２１６】
さらに、1050乃至1150（nm）である波長範囲に対して、C7=1であるパラメータが格納されている。また、1150乃至1200（nm）である波長範囲に対して、C7=100.018(λ-1150)であるパラメータが格納されている。さらに、1200乃至1400（nm）である波長範囲に対して、C7=8であるパラメータが格納されている。
【０２１７】
このように、C1乃至C7、並びにT1およびT2であるパラメータが、波長λ、パルス幅t、または視角αにより決定され、決定されたパラメータが必要に応じて、図５乃至図８のAELテーブルに格納されたパラメータに代入される。
【０２１８】
なお、図５乃至図８のAELテーブルのAEL（の値）において、単位にJ（ジュール）とW（ワット）とが混在しているが、これは、波長と放出持続時間により決定されるAEL（の値）が、放出持続時間に依存するか否かによって使いわけている。すなわち、放出持続時間に依存する場合、単位は、W（ワット）となるが、“仕事（J）=仕事率（W）×時間（s）“の関係より、例えば、単位をJ（ジュール）に変換することによりレーザー光の安全レベルのクラスを分類することができる。
【０２１９】
図４に戻り、ステップＳ１７において、安全レベル判定部７４は、平均放射パワー算出部７２から供給された平均放射パワーおよびAEL決定部７３から供給されたAELを基に、レーザー光の安全レベルを判定する。安全レベル判定部７４は、レーザー光の安全レベルの判定結果を表示部１４に供給する。
【０２２０】
例えば、安全レベル判定部７４は、AEL決定部７３から、クラス１のAELとして“3.9×10-3（J）”、クラス２のAELとして“1.5×10-2（J）”、クラス３ＡのAELとして“7.5×10-2（J）及び375（Jm-2）”、およびクラス３ＢのAELとして“7.5（J）”が供給された場合、平均放射パワー算出部７２から供給された平均放射パワーが“3.9×10-3（J）”（クラス１のAEL）以下のであるとき、レーザー光の安全レベルをクラス１と判定し、平均放射パワーが“3.9×10-3（J）”（クラス１のAEL）を超えていて、“1.5×10-2（J）”（クラス２のAEL）以下であるとき、レーザー光の安全レベルをクラス２と判定し、平均放射パワーが“1.5×10-2（J）”（クラス２のAEL）を超えていて、“7.5×10-2（J）及び375（Jm-2）”（クラス３ＡのAEL）以下であるとき、レーザー光の安全レベルをクラス３Ａと判定し、平均放射パワーが“7.5×10-2（J）及び375（Jm-2）”（クラス３ＡのAEL）を超えていて、“7.5（J）”（クラス３ＢのAEL）以下であるとき、レーザー光の安全レベルをクラス３Ｂと判定し、平均放射パワーが“7.5（J）”（クラス３ＢのAEL）を超えているとき、レーザー光の安全レベルをクラス４と判定する。
【０２２１】
すなわち、安全レベル判定部７４は、平均放射パワー算出部７２から供給された平均放射パワーが“7.5×10-3（J）”である場合、平均放射パワーが“3.9×10-3（J）”（クラス１のAEL）を超えていて、“1.5×10-2（J）”（クラス２のAEL）以下であるので、レーザー光の安全レベルをクラス２と判定し、“クラス２”であるレーザー光の安全レベルの判定結果を表示部１４に供給する。
【０２２２】
ステップＳ１８において、表示部１４は、安全レベル判例部３３から供給されたレーザー光の安全レベルの判定結果を基に、レーザー光の安全レベルを表示して、処理は終了する。例えば、ステップＳ１８において、表示部１４は、安全レベル判定部７４から供給された“クラス２”であるレーザー光の安全レベルの判定結果を基に、レーザー光の安全レベルとして“レベル２”を表示する。
【０２２３】
上述した図４のパラメータ検出時の安全レベル表示の処理においては、レーザーテスタ１がパラメータを検出することにより、レーザー光の安全レベルを表示させるようにしたが、それらのパラメータは、レーザーテスタ１により検出される以外にも、ユーザの操作によりパラメータを入力することにより、入力された波長、パスルの幅、パルスの繰り返し周波数、または放出持続時間であるパラメータを取得することで、レーザー光の安全レベルを表示させるようにしてもよい。
【０２２４】
次に、図１０のフローチャートを参照して、パラメータ設定時のレーザー光の安全レベル表示の処理について説明する。
【０２２５】
ステップＳ５１およびステップＳ５２の処理は、図４のステップＳ１１およびステップＳ１２の処理と同様であり、その説明は省略する。
【０２２６】
ステップＳ５３において、特徴量特定部７１は、A/D変換部５２から供給された波長帯ごとのレーザー光のデジタルデータを基に、波長帯ごとにレーザー装置から放出されたレーザー光のレーザーパワー（波高値）を特定する。特徴量特定部７１は、特定したレーザーパワーを平均放射パワー算出部７２に供給する。すなわち、特徴量特定部７１は、レーザーパワーのみを特定する。
【０２２７】
例えば、ステップＳ５３において、特徴量特定部７１は、A/D変換部５２から供給された500（nm）の波長のレーザー光のデジタルデータを基に、レーザー装置から放出されたレーザー光の“5.0×10-6（W）”であるレーザーパワー（波高値）を特定し、特定した“5.0×10-6（W）”であるレーザーパワーを平均放射パワー算出部７２に供給する。
【０２２８】
ステップＳ５４の処理は、図４のステップＳ１４の処理と同様であり、その説明は省略する。
【０２２９】
ステップＳ５５において、操作部１３は、ユーザの操作により入力されたパラメータを取得する。操作部１３は、取得したパラメータのうち、パルスの繰り返し周波数、および放出持続時間を平均放射パワー算出部７２に供給し、取得したパラメータのうち、波長、パルスの幅、放出持続時間をAEL決定部７３に供給する。
【０２３０】
例えば、ステップＳ５５において、操作部１３は、ユーザの操作により、“500（nm）”である波長、“1.5（s）”であるパルス幅、“100（Hz）”であるパルスの繰り返し周波数、および“15（s）”である放出持続時間がパラメータとして入力された場合、ユーザの操作により入力されたパラメータを取得し、取得したパラメータのうち、“100（Hz）”であるパルスの繰り返し周波数、および“15（s）”である放出持続時間を平均放射パワー算出部７２に供給し、取得したパラメータのうち、“500（nm）”である波長、“1.5（s）”であるパルスの幅、“15（s）”である放出持続時間をAEL決定部７３に供給する。
【０２３１】
ステップＳ５６乃至ステップＳ５９の処理は、図４のステップＳ１５乃至ステップＳ１８の処理と同様であり、その説明は省略する。
【０２３２】
このように、ユーザの操作によりパラメータが入力された場合でも、レーザーテスタ１がパラメータを検出した場合と同様に、レーザー光の安全レベルをクラスに分類して表示させることができる。
【０２３３】
なお、図４乃至図１０においては、単一の波長について説明したが、分光器１１によりレーザー光が複数の波長に分けられた場合には、それぞれの波長のレーザー光について、上述した処理を行い、例えば、判定されたクラスのうち、最も危険なクラスをレーザー光の安全レベルのクラスとして決定し、決定したクラスを表示部１４に表示するなどすればよい。また、分光器１１によりレーザー光が複数の波長に分けられた場合のクラスの決定方法は、上述した例に限定されるものではない。
【０２３４】
以上のように、レーザーパワー、視角、波長、パスルの幅、パルスの繰り返し周波数、および放出持続時間であるパラメータを基に、所定の演算をすることにより、レーザー装置が放出するレーザー光の安全レベルを判定し、判定されたレーザー光の安全レベルを表示部１４に表示することができるので、ユーザは、レーザー装置が放出するレーザー光の安全のレベルを簡単に知ることができる。
【０２３５】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２３６】
図１１は、上述した一連の処理をプログラムにより実行するレーザーテスタ１の構成の例を示すブロック図である。CPU１０１は、ROM１０２、または記録部１０８に記録されているプログラムに従って各種の処理を実行する。RAM１０３には、CPU１０１が実行するプログラムやデータなどが適宜記憶される。これらのCPU１０１、ROM１０２、およびRAM１０３は、バス１０４により相互に接続されている。
【０２３７】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果得られた画像等を出力部１０７に出力する。
【０２３８】
入出力インターフェース１０５に接続されている記録部１０８は、例えばハードディスクなどで構成され、CPU１０１が実行するプログラムや各種のデータを記録する。通信部１０９は、インターネット、その他のネットワークを介して外部の装置と通信する。この例の場合、通信部１０９は、入力画像を取得するか、または出力画像を出力する、外部とのインターフェースとして動作する。
【０２３９】
また、通信部１０９を介してプログラムを取得し、記録部１０８に記録してもよい。
【０２４０】
入出力インターフェース１０５に接続されているドライブ１１０は、磁気ディスク１２１、光ディスク１２２、光磁気ディスク１２３、または半導体メモリ１２４などが装着されたとき、それらを駆動し、そこに記録されているプログラムやデータなどを取得する。取得されたプログラムやデータは、必要に応じて記録部１０８に転送され、記録される。
【０２４１】
一連の処理をさせるプログラムが格納されている記録媒体は、図１１に示すように、コンピュータとは別に、ユーザにプログラムを提供するために配布される、プログラムが記録されている磁気ディスク１２１（フレキシブルディスクを含む）、光ディスク１２２（CD-ROM(Compact Disc-Read Only Memory)、DVD(Digital Versatile Disc)を含む）、光磁気ディスク１２３（MD(Mini-Disc)（商標）を含む）、若しくは半導体メモリ１２４などよりなるパッケージメディアにより構成されるだけでなく、コンピュータに予め組み込まれた状態でユーザに提供される、プログラムが記録されているROM１０２や、記録部１０８に含まれるハードディスクなどで構成される。
【０２４２】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０２４３】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０２４４】
【図１】針式のメータによるアナログ表示のレーザーテスタの一例を示す図である。
【図２】LEDを使用したデジタル表示のレーザーテスタの一例を示す図である。
【図３】本発明のレーザーテスタの一実施の形態の構成を示すブロック図である。
【図４】パラメータ検出時のレーザー光の安全レベル表示の処理について説明するフローチャートである。
【図５】クラス１レーザー製品のAELテーブルについて説明する図である。
【図６】クラス２レーザー製品のAELテーブルについて説明する図である。
【図７】クラス３Ａレーザー製品のAELテーブルについて説明する図である。
【図８】クラス３Ｂレーザー製品のAELテーブルについて説明する図である。
【図９】各クラスのAELテーブルに格納されたAELのパラメータを示す図である。
【図１０】パラメータ設定時のレーザー光の安全レベル表示の処理について説明するフローチャートである。
【図１１】レーザーテスタの構成を説明するブロック図である。
【符号の説明】
【０２４５】
１  レーザーテスタ，  １１  分光器，  １２  光学ブロック，  １３  操作部，  １４  表示部，  ５１，５１−１乃至５１−Ｎ  フォトディテクタ，  ５２，５２−１乃至５２−Ｎ  A/D変換部，  ５３  CCD，  ５４  画像処理部，  ５５  演算部，  ５６  記憶部，  ５７  アラーム，  ５８  外部インターフェイス，  ７１  特徴量特定部，  ７２  平均放射パワー算出部，  ７３  AEL決定部，  ７４  安全レベル判定部
【図１】
2006073559.tif 000003
【図２】
2006073559.tif 000004
【図３】
2006073559.tif 000005
【図４】
2006073559.tif 000006
【図５】
2006073559.tif 000007
【図６】
2006073559.tif 000008
【図７】
2006073559.tif 000009
【図８】
2006073559.tif 000010
【図９】
2006073559.tif 000011
【図１０】
2006073559.tif 000012
【図１１】
2006073559.tif 000013